(57)【特許請求の範囲】
【請求項１】
外部装置と通信可能な通信手段と、
画像を表示する表示手段と、
前記通信手段により前記外部装置から受信した画像データ又は前記外部装置へ送信する画像データが存在する場合に、顔の画像を表示させると共に、前記外部装置から受信した画像データ又は前記外部装置へ送信する画像データの内容を示す画像を表示させる表示制御手段と、
その表示制御手段によって前記表示手段に表示されている前記顔の画像に対して、目に相当する領域を、前記表示制御手段によって前記表示手段に表示されている前記外部装置から受信した画像データの内容を示す画像又は前記外部装置へ送信する画像データの内容を示す画像の表示状態を調整する領域として割り当てる領域割当手段と、
前記表示手段に表示されている画像に対して外部から指定された位置を検出する指定位置検出手段と、
前記表示制御手段によって前記表示手段に表示されている前記顔の画像に対して、前記指定位置検出手段により検出される外部から指定された位置が前記目に相当する領域である場合に、前記表示制御手段によって前記表示手段に表示されている前記外部装置から受信した画像データの内容を示す画像又は前記外部装置へ送信する画像データの内容を示す画像の表示状態を調整する画像調整手段とを備えていることを特徴とする通信装置。
【請求項２】
前記領域割当手段は、前記目に相当する領域のうち、右目に相当する領域と左目に相当する領域とが、それぞれ、前記外部装置から受信した画像データの内容を示す画像又は前記外部装置へ送信する画像データの内容を示す画像の表示状態に対する異なる種類の調整を行う領域として割り当てられていることを特徴とする請求項１記載の通信装置。
【請求項３】
前記表示制御手段によって前記表示手段に表示されている前記顔の画像に対して前記指定位置検出手段により検出される外部から指定された位置の変位を検出する変位検出手段を備え、
前記画像調整手段は、前記表示制御手段によって前記表示手段に表示されている前記顔の画像に対して前記変位検出手段により検出される外部から指定された位置の変位が、前記領域割当手段により割り当てられた前記目に相当する領域上での所定の変位である場合に、その変位に合わせて、前記調整対象とする画像の表示状態を調整することを特徴とする請求項１又は２に記載の通信装置。
【請求項４】
前記表示制御手段は、前記通信手段により前記外部装置から画像データを受信した場合に、受信した画像データの内容を示す画像と共に、該外部装置を示す相手の顔画像を表示させることを特徴とする請求項１から３のいずれかに記載の通信装置。
【請求項５】
前記表示制御手段は、前記通信手段により前記外部装置へ画像データを送信する場合に、送信する画像データの内容を示す画像と共に、本通信装置に対応する顔画像を表示させることを特徴とする請求項１から４のいずれかにに記載の通信装置。
【発明の詳細な説明】
【技術分野】
【０００１】
本発明は、通信装置に関するものである。
【背景技術】
【０００２】
従来、タッチパネルを用いて音量を調整するものが知られている。例えば、特許文献１には、タッチパネル付画面表示装置に音楽のボリューム調整画面として、複数個のスポット（点）が列をなしたバーを複数本放射状に配置したオブジェクトを表示し、そのオブジェクトに合わせて、右回りまたは左回りに円を描くようにタッチパネル操作を行うことで、音量調整が行える再生装置が開示されている。
【特許文献１】特開２００６−４２１７０号公報
【発明の開示】
【発明が解決しようとする課題】
【０００３】
しかしながら、特許文献１に記載された再生装置では、幾何学的な模様がボリューム調整画面として表示されるので、何を調整するのか直感的に把握し難くいという問題点があった。
【０００４】
本発明は、上述した問題点を解決するためになされたものであり、ユーザが直感的に画像の表示状態の調整を行い得る通信装置を提供することを目的としている。
【課題を解決するための手段】
【０００５】
【０００６】
【０００７】
【０００８】
【０００９】
【００１０】
【００１１】
【００１２】
【００１３】
【００１４】
【００１５】
【００１６】
この目的を達成するために、請求項１記載の通信装置は、外部装置と通信可能な通信手段と、画像を表示する表示手段と、前記通信手段により前記外部装置から受信した画像データ又は前記外部装置へ送信する画像データが存在する場合に、顔の画像を表示させると共に、前記外部装置から受信した画像データ又は前記外部装置へ送信する画像データの内容を示す画像を表示させる表示制御手段と、その表示制御手段によって前記表示手段に表示されている前記顔の画像に対して、目に相当する領域を、前記表示制御手段によって前記表示手段に表示されている前記外部装置から受信した画像データの内容を示す画像又は前記外部装置へ送信する画像データの内容を示す画像の表示状態を調整する領域として割り当てる領域割当手段と、前記表示手段に表示されている画像に対して外部から指定された位置を検出する指定位置検出手段と、前記表示制御手段によって前記表示手段に表示されている前記顔の画像に対して、前記指定位置検出手段により検出される外部から指定された位置が前記目に相当する領域である場合に、前記表示制御手段によって前記表示手段に表示されている前記外部装置から受信した画像データの内容を示す画像又は前記外部装置へ送信する画像データの内容を示す画像の表示状態を調整する画像調整手段とを備えている。
【００１７】
請求項２記載の通信装置は、請求項１記載の通信装置において、前記領域割当手段は、前記目に相当する領域のうち、右目に相当する領域と左目に相当する領域とが、それぞれ、前記外部装置から受信した画像データの内容を示す画像又は前記外部装置へ送信する画像データの内容を示す画像の表示状態に対する異なる種類の調整を行う領域として割り当てられている。
請求項３記載の通信装置は、請求項１又は２に記載の通信装置において、前記表示制御手段によって前記表示手段に表示されている前記顔の画像に対して前記指定位置検出手段により検出される外部から指定された位置の変位を検出する変位検出手段を備え、前記画像調整手段は、前記表示制御手段によって前記表示手段に表示されている前記顔の画像に対して前記変位検出手段により検出される外部から指定された位置の変位が、前記領域割当手段により割り当てられた前記目に相当する領域上での所定の変位である場合に、その変位に合わせて、前記調整対象とする画像の表示状態を調整する。
【００１８】
請求項４記載の通信装置は、請求項１から３のいずれかに記載の通信装置において、前記表示制御手段は、前記通信手段により前記外部装置から画像データを受信した場合に、受信した画像データの内容を示す画像と共に、該外部装置を示す相手の顔画像を表示させる。
【００１９】
請求項５記載の通信装置は、請求項１から４のいずれかに記載の通信装置において、前記表示制御手段は、前記通信手段により前記外部装置へ画像データを送信する場合に、送信する画像データの内容を示す画像と共に、本通信装置に対応する顔画像を表示させる。
【００２０】
【００２１】
【発明の効果】
【００２２】
【００２３】
【００２４】
【００２５】
【００２６】
【００２７】
【００２８】
【００２９】
【００３０】
【００３１】
【００３２】
【００３３】
請求項１記載の通信装置によれば、外部装置とやり取り（即ち、受信又は送信）する画像データが存在する場合には、かかる外部装置とやり取りする画像データの内容を示す画像と共に、画像調整を行うための領域を含む画像として顔画像が表示される。このとき、顔画像における画像調整を行うための領域として「目」が割り当てられている。「目」は視覚的なものを連想させる部位であるので、顔画像における「目」から、「表示される画像の表示状態の調整」をユーザに連想させることは容易である。よって、ユーザは、表示された顔画像を用いて、直感的に、外部装置とやり取りする画像データの内容を示す画像の表示状態を調整することができるという効果がある。
【００３４】
請求項２記載の通信装置によれば、請求項１記載の通信装置の奏する効果に加えて、次の効果を奏する。「右目」及び「左目」は共に、視覚的なものを連想させる部位であるので、これらの「右目」及び「左目」から、「表示される画像の表示状態の調整」をユーザに連想させることは容易である。よって、ユーザは、表示された顔画像を用いて、直感的に、外部装置とやり取りする画像データの内容を示す画像の表示状態を調整することができるという効果がある。
【００３５】
また、「右目」と「左目」のように、互いに関連する部位を含む領域を、画像調整を行うための領域とし、それぞれに対して異なる画像調整を行うことができるので、ユーザは、２種類の画像調整を行うことのできる領域を直感的に把握できるという効果がある。
【００３６】
請求項３記載の通信装置によれば、請求項１又は２に記載の通信装置の奏する効果に加えて、次の効果を奏する。領域割当手段により割り当てられた領域（目に相当する領域）に対して外部から指定された位置の変位に合わせて、調整対象とする画像の表示状態を調整できるので、ユーザは、画像調整を行う際に、所望の調整量を直感的に指示することができるという効果がある。
請求項４記載の通信装置によれば、請求項１から３のいずれかに記載の通信装置の奏する効果に加えて、次の効果を奏する。外部装置から画像データを受信した場合には、受信した画像データの内容を示す画像の表示状態を調整するための画像として、外部装置を示す相手の顔画像を表示するので、画像データの送信元とをユーザに把握させ易いと共に、ユーザは、外部装置を示す画像を用いて直感的に受信した画像データの表示状態を調整することができるという効果がある。
【００３７】
請求項５記載の画像調整装置によれば、請求項１から４のいずれかにに記載の通信装置の奏する効果に加えて、次の効果を奏する。外部装置へ画像データを送信する場合には、外部装置へ画像データを送信する場合には、送信する画像データの内容を示す画像の表示状態を調整するための画像として、本通信装置に対する顔画像を表示するので、画像データの受信ではなく画像データを送信することをユーザに把握させ易いと共に、ユーザは、その画像を用いて直感的に送信する画像データの表示状態を調整することができるという効果がある。
【００３８】
【００３９】
【００４０】
【発明を実施するための最良の形態】
【００４１】
以下、本発明の好ましい実施形態について、添付図面を参照して説明する。図１は、本発明の第１実施形態における多機能周辺装置（以下、「ＭＦＰ（Ｍｕｌｔｉ  Ｆｕｎｃｔｉｏｎ  Ｐｅｒｉｐｈｅｒａｌ）」と称す）１の外観構成を示した斜視図である。
【００４２】
このＭＦＰ１は、電話回線網１００（図２参照）介して外部装置２００（図２参照）に接続されて電話機能による通話や、ファクシミリ機能によるデータの送受信を行うことができるだけでなく、スキャナ機能、コピー機能、ＰＣ（Ｐｅｒｓｏｎａｌ  Ｃｏｍｐｕｔｅｒ）プリント機能、及びメディアプリント機能などの各種機能を有する多機能周辺装置である。
【００４３】
なお、以下で詳細に説明するが、本実施形態のＭＦＰ１は、ファクシミリ機能によって外部装置２００から受信した画像データ（以下、かかる画像データを「受信ＦＡＸデータ」と称することがある）を受信した場合に、受信ＦＡＸデータの内容を示す画像（以下、かかる画像を「受信ＦＡＸ画像」と称することがある）と、その受信ＦＡＸデータの送信元である外部装置２００を示す相手の顔の画像（顔画像）とをＬＣＤ（Ｌｉｑｕｉｄ  Ｃｒｙｓｔａｌ  Ｄｉｓｐｌａｙ）１６に表示し、ユーザが、表示された顔画像を利用して、表示中の受信ＦＡＸ画像に対する画像調整を直感的に行うことができるように構成されている。
【００４４】
また、ファクシミリ機能によって外部装置へファクシミリ機能によって画像データを送信する場合に、ユーザ本人の顔画像と、送信を所望する画像データ（以下、かかる画像データを「送信ＦＡＸデータ」と称することがある）の内容（以下、かかる画像を「送信ＦＡＸ画像」と称することがある）を示す画像とをＬＣＤ１６に表示し、表示された顔画像を利用して、表示中の送信ＦＡＸ画像に対する画像調整を直感的に行うことができるように構成されている。
【００４５】
ＭＦＰ１の上部には、図１に示すように、ファクシミリ機能、スキャナ機能、又は、コピー機能の実行時に原稿を読み取るためのスキャナ２０が配置されている。原稿カバー体８の下側には、原稿を載置するための載置用ガラス板が設けられている。また、筐体内部には記録用紙に画像を印刷する装置として、所謂インクジェットプリンタで構成されたプリンタ２１が内蔵されている。
【００４６】
原稿カバー体８の前方には、横長形状の操作パネル６が設けられており、操作キー１５、ＬＣＤ１６、タッチパネル１７を具備する。操作キー１５には、電話機能やファクシミリ機能を利用する場合に電話番号を入力するための数字ボタン１５ａや、ＭＦＰ１の電源のオン／オフを行うための電源ボタン１５ｂなどの各種ボタンが設けられている。
【００４７】
ＬＣＤ１６は、ＬＣＤパネル（図示せず）を有し、そのＬＣＤパネルによって、操作手順や実行中の処理の状態が表示されると共に、操作キー１５やタッチパネル１７の押下に対応する情報が表示される。
【００４８】
また、ＬＣＤ１６には、それ以外にも、受信ＦＡＸ画像又は送信ＦＡＸ画像に対する画像調整を行い得る画像調整画面（図３（ａ）参照）や、その画像調整画面に表示する顔画像を登録するための画面（図示せず）や、顔画像に対する画像調整の手順を登録するための登録画面（図５および図６参照）などが表示される。
【００４９】
また、ＭＦＰ１の前面には、メモリカード１４ａ（図２参照）を挿入するためのメモリカードスロット１４が設けられている。メモリカードスロット１４にメモリカード１４ａが挿入されている場合は、ユーザは、メモリカード１４ａ内に記憶される画像データをＬＣＤ１６に表示させ、その中から所望する顔画像データを画像調整画面に表示する顔画像として登録することができる。メモリカード１４ａとしては、例えば、コンパクトフラッシュ（登録商標）、スマートメディア（登録商標）、メモリスティック（登録商標）、ＳＤカード（登録商標）、ｘＤ−ピクチャカード（登録商標）などが該当する。
【００５０】
ＭＦＰ１の側部には、送受話器２２が設けられている。この送受話器２２は、ユーザが電話機能を使用して、電話回線網１００（図２参照）を介して接続される外部装置２００との間で通話を行う場合に使用される。
【００５１】
非通話時には、送受話器２２はフック（図示しない）が設けられた載置台上に置かれ、通話時には載置台から取り上げられて使用される。なお、本実施形態では、前者をオンフック状態、後者をオフフック状態と称す。送受話器２２は、オフフック状態となるとＮＣＵ（Ｎｅｔｗｏｒｋ  Ｃｏｎｔｒｏｌ  Ｕｎｉｔ）２３（図２参照）と電気的に接続され、オンフック状態となると、ＮＣＵ２３との接続が解除される。
【００５２】
また、送受話器２２には、送話口（図示せず）と受話口（図示せず）が設けられており、送話口のマイクに入力された音声は、送受話器２２で音声データに変換され、この変換された音声データが送話音声として、外部装置２００に出力される。また、外部装置２００から送信されてきた音声データは、受話音声として受話口のスピーカから出力される。
【００５３】
次に、図２を参照して、ＭＦＰ１の電気的構成について説明する。図２は、ＭＦＰ１の電気的構成を示すブロック図である。ＭＦＰ１は、ＣＰＵ（Ｃｅｎｔｒａｌ  Ｐｒｏｃｅｓｓｉｎｇ  Ｕｎｉｔ）１１、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１２、ＲＡＭ（Ｒａｎｄｏｍ  Ａｃｃｅｓｓ  Ｍｅｍｏｒｙ）１３、メモリカードスロット１４、操作キー１５、ＬＣＤ１６、タッチパネル１７、計時回路１８、スキャナ２０、プリンタ２１、送受話器２２、ＮＣＵ２３、モデム２４とを主に有している。
【００５４】
ＣＰＵ１１、ＥＥＰＲＯＭ１２、ＲＡＭ１３は、バスライン２６を介して互いに接続されている。また、メモリカードスロット１４、操作キー１５、ＬＣＤ１６、タッチパネル１７、計時回路１８、スキャナ２０、プリンタ２１、送受話器２２、ＮＣＵ２３、モデム２４、バスライン２６は、入出力ポート２７を介して互いに接続されている。
【００５５】
ＣＰＵ１１は、ＥＥＰＲＯＭ１２やＲＡＭ１３に記憶される固定値やプログラム或いは、ＮＣＵ２３を介して送受信される各種信号に従って、ＭＦＰ１が有している各機能の制御や、入出力ポート２７と接続された各部を制御するものである。
【００５６】
ＥＥＰＲＯＭ１２は、ＣＰＵ１１によって実行される制御プログラム１２ａや固定値データ等を書き換え可能に記憶すると共に、電源遮断後も内容を保持可能な不揮発性のメモリである。
【００５７】
制御プログラム１２ａは、後述する図７〜図１３に示すフローチャートのプログラムを含んでおり、ＣＰＵ１１がこのプログラムを実行することにより、ＭＦＰ１は、ユーザが、受信ＦＡＸ画像及び送信ＦＡＸ画像に対する画像調整を直感的に調整できる画像調整装置又は通信装置として機能する。
【００５８】
また、ＥＥＰＲＯＭ１２には、画像メモリ１２ｂと電話帳メモリ１２ｃとが設けられている。画像メモリ１２ｂは、受信ＦＡＸ画像及び送信ＦＡＸ画像を調整し得る画像調整画面（図３（ａ）参照）にて用いられる顔画像データを格納するメモリである。この画像メモリ１２ｂには、ＭＦＰ１出荷時に予め準備された複数の顔画像データが格納されているほか、ユーザの操作によって、メモリカード１４ａに記憶された顔画像データやスキャナ２０によって取り込んだ画像を格納することができる。
【００５９】
ＭＦＰ１出荷時に予め準備された顔画像データには、その顔画像が、ユーザ本人用として準備されたものであるか、それ以外（ユーザ以外）のために準備されたものであるかを示す情報や、その顔画像データにおける右目領域ＲＢ（図３（ａ）参照）および左目領域ＬＢ（図３（ａ）参照）の座標も併せて格納される。
【００６０】
よって、後述する登録処理（図７参照）において、画像調整画面（図３（ａ）参照）に表示すべき顔画像として、この予め準備された顔画像データを登録する場合には、その顔画像データと併せて格納される情報によって、その顔画像がユーザ本人用であるがユーザ以外用であるかが特定されると共に、右目領域ＲＢおよび左目領域ＬＢの座標によってそれぞれの領域が特定され、これらの領域が、画像調整領域として割り当てられる。
【００６１】
なお、顔画像データにおける或る領域の「座標」とは、ＬＣＤ１６に表示された顔画像の或る領域を触れた場合に、タッチパネル１７によって検出される座標のことである。この座標は、ＬＣＤ１６のＬＣＤパネルの左上端を座標（０，０）とし、右側に向かうほどＸ軸の座標が増加すると共に、下側に向かうほどＹ軸の座標が増加するように規定されている。本実施形態では、顔画像の各領域の座標をすべてタッチパネル１７によって検出される座標を用いて表している。
【００６２】
これにより、タッチパネル１７の検出結果によって、顔画像の所定の領域が指で触れられたか否かを容易に判断することができる。従って、顔画像内に割り当てられた画像調整を行うための領域（右目領域ＲＢ又は左目領域ＬＢ）がユーザの指によって触れられたか否かを容易に判断（検出）することができる。
【００６３】
電話帳メモリ１２ｃは、複数の外部装置２００毎に、その外部装置２００に対応する相手の名前、電話番号、ファクシミリ番号のほか、受信ＦＡＸ画像及び送信ＦＡＸ画像を調整し得る画像調整画面（図３（ａ）参照）にて用いられる顔画像のファイル名や、その顔画像に割り当てられる画像調整領域に関する情報を格納するメモリである。なお、この電話帳メモリ１２ｃの詳細については、図４を参照して後述する。
【００６４】
ＲＡＭ１３は、書き替え可能な揮発性のメモリであり、ＭＦＰ１の各操作の実行時に各種のデータを一時的に記憶するためのメモリである。計時回路１８は、現在の日時を刻む時計機能を有する既知の回路である。
【００６５】
ＮＣＵ２３は、電話回線網１００と接続されており、電話回線網１００へのダイヤル信号の送出や、電話回線網１００からの呼出信号の応答などの制御を行うものである。モデム２４は、ファクシミリ機能により送信が指示された画像データを、電話回線網１００に伝送可能な信号に変調してＮＣＵ２３を介して送信したり、電話回線網１００からＮＣＵ２３を介して入力された信号を受信し、ＬＣＤ１６に表示したり、プリンタ２１で記録可能な画像データに復調するものである。
【００６６】
次いで、図３（ａ）を参照して、画像調整画面の詳細について説明する。図３（ａ）は、画像調整画面の一例を示すイメージ図である。なお、図３（ａ）は、受信ＦＡＸ画像の表示状態を調整する場合に表示される画像調整画面である。
【００６７】
この画像調整画面は、図３（ａ）に示すように、ＬＣＤ１６の表示画面を左右に２分割した左側の画面１６Ｌ（以下、「左画面１６Ｌ」と称する）の上部に、電話帳メモリ１２ｃに格納された外部装置２００を示す相手の名前（ブラザー太郎）とファクシミリ番号（０５２−ＸＸＸ−ＸＸＸＸ）とを表示すると共に、左画面１６Ｌの残りの領域には当該相手（即ち、外部装置２００を示す相手であり、受信ＦＡＸデータの送信元の相手）に対して登録された顔画像を指示対象の画像として表示する。この顔画像は、電話帳メモリ１２ｃに格納された顔画像の「画像ファイル名」（図４参照）に基づき、画像メモリ１２ｂからそのファイルに格納された顔画像データを読み出すことによって表示される。
【００６８】
なお、送信ＦＡＸ画像の表示状態を調整する場合に表示される画像調整画面では、左画面１６Ｌの上部には、電話帳メモリ１２ｃに格納されたユーザ本人の名前とファクシミリ番号とを表示すると共に、左画面１６Ｌの残りの領域にユーザ本人に対して登録された顔画像を表示する。
【００６９】
一方で、ＬＣＤ１６における右側の画面１６Ｒ（以下、「右画面１６Ｒ」と称する）には、調整対象の画像とされる受信ＦＡＸ画像又は送信ＦＡＸ画像がサムネイル表示されている。
【００７０】
ここで、左画面１６Ｌに表示された顔画像の右目領域ＲＢ（左上の座標（Ｘａ，Ｙａ）および右下の座標（Ｘｂ，Ｙｂ）で特定される矩形状の領域）と、左目領域ＬＢ（左上の座標（Ｘｃ，Ｙｃ）および右下の座標（Ｘｄ，Ｙｄ）で特定される矩形状の領域）とに対して、上述したように、その顔画像の種類（外部装置２００を示すユーザ以外の顔画像、若しくは、ユーザ本人の顔画像）に応じて、それぞれ、受信ＦＡＸ画像に対する画像調整領域、又は送信ＦＡＸ画像に対する画像調整領域が割り当てられている。
【００７１】
例えば、顔画像が外部装置２００を示すユーザ以外の顔画像である場合には、右目領域ＲＢ及び左目領域ＬＢに対し、受信ＦＡＸ画像に対する画像調整領域が割り当てられている。なお、本実施形態では、右目領域ＲＢに対し、受信ＦＡＸ画像の拡大又は縮小を行うための領域が割り当てられており、左目領域ＬＢに対し、受信ＦＡＸ画像をスクロールするための領域が割り当てられている。
【００７２】
一方、ユーザ本人の顔画像である場合には、右目領域ＲＢ及び左目領域ＬＢに対して送信ＦＡＸ画像に対する画像調整領域が割り当てられている。なお、本実施形態では、右目領域ＲＢに対し、送信ＦＡＸ画像の拡大又は縮小を行うための領域が割り当てられており、左目領域ＬＢに対し、送信ＦＡＸ画像のコントラストを補正するための領域が割り当てられている。
【００７３】
ユーザが、ＬＣＤ１６の左画面１６Ｌに表示された顔画像の右目領域ＲＢを指で触れると、ＭＦＰ１は、タッチパネル１７の検出結果から、触れられた領域が右目領域ＲＢであることを判断する。
【００７４】
ここで、表示されている顔画像がユーザ以外のものであった場合、右目領域ＲＢには、画像調整領域として、受信ＦＡＸ画像の拡大又は縮小を行うための領域が割り当てられているので、ＭＦＰ１は、ＬＣＤ１６の右画面１６Ｒにその時点において表示されている受信ＦＡＸ画像に対し、その後の操作内容（タッチパネル１７によって検出される指の位置の変位）に応じた画像調整（拡大又は縮小）を行う。
【００７５】
あるいは、表示されている顔画像がユーザ本人のものであった場合、右目領域ＲＢには、画像調整領域として、送信ＦＡＸ画像の拡大又は縮小を行うための領域が割り当てられているので、その時点において右画面１６Ｒに表示されている送信ＦＡＸ画像に対し、その後の操作内容に応じた画像調整（拡大又は縮小）を行う。
【００７６】
一方で、ユーザが、ＬＣＤ１６の左画面１６Ｌに表示された顔画像の左目領域ＬＢを指で触れると、ＭＦＰ１は、タッチパネル１７の検出結果から、触れられた領域が左目領域ＬＢであることを判断する。
【００７７】
ここで、表示されている顔画像がユーザ以外のものであった場合、左目領域ＬＢには、画像調整領域として、受信ＦＡＸ画像のスクロールを行うための領域が割り当てられているので、その時点において右画面１６Ｒに表示されている受信ＦＡＸ画像に対し、その後の操作内容に応じた画像調整（上方向、下方向、左方向、又は右方向へのスクロール）を行う。
【００７８】
あるいは、表示されている顔画像がユーザ本人のものであった場合、左目領域ＬＢには、画像調整領域として、送信ＦＡＸ画像のコントラストを補正するための領域が割り当てられているので、その時点において右画面１６Ｒに表示されている送信ＦＡＸ画像に対し、その後の操作内容に応じた画像調整（コントラスト補正）を行う。
【００７９】
このように、本実施形態によれば、画像調整画面の右側（即ち、ＬＣＤ１６の右画面１６Ｒ）に画像調整対象とされる受信ＦＡＸ画像が表示され、画像調整画面の左側（即ち、ＬＣＤ１６の左画面１６Ｌ）に指示対象とされる顔画像が表示される。このとき、指示対象とされる顔画像として、受信ＦＡＸデータの送信元の外部装置２００を示すユーザ以外の顔画像が表示されるので、受信ＦＡＸデータの送信元をユーザに把握させ易い上に、かかる顔画像を用いて受信ＦＡＸ画像の表示状態を調整（画像調整）することができるので、ユーザは、画像調整画面の左側に表示された顔画像を用いて直感的に受信ＦＡＸ画像の表示状態を調整することができる。
【００８０】
一方で、画像調整画面の右側に送信ＦＡＸ画像が表示される場合には、画像調整画面の左側に指示対象とされる顔画像として、送信ＦＡＸデータの送信元となるＭＦＰ１のユーザ本人の顔画像が表示される。よって、画像調整画面に表示されるＦＡＸ画像が受信ＦＡＸ画像ではなく送信ＦＡＸ画像であることをユーザに把握させ易い上に、その隣に表示される顔画像を用いて送信ＦＡＸ画像の表示状態を調整（画像調整）することができるので、ユーザは、画像調整画面の左側に表示された顔画像を用いて直感的に送信ＦＡＸ画像の表示状態を調整することができる。
【００８１】
次いで、図３（ｂ）及び（ｃ）を参照して、画像調整を行うための指の操作方法について説明する。まず、図３（ｂ）は、画像調整画面に表示される顔画像がユーザ以外の顔画像である場合に、画像調整（画像の拡大又は縮小）を行うための右目領域ＲＢに対する指の操作方法を説明する説明図である。
【００８２】
図３（ｂ）に示すように、ユーザ以外の顔画像における右目領域ＲＢに割り当てられた画像調整（画像の拡大又は縮小）を行う場合においてタッチパネル１７に触れられる指の操作方法として、指を左右方向に操作する「方法１」と、指を上下方向に操作する「方法２」とが準備されている。どちらの方法によって画像調整を行うかは、後述する登録処理（図７および図８参照）の中で、ユーザによって設定される。
【００８３】
ここで、操作方法として、「方法１」が設定されている場合、ＭＦＰ１は、まず、右目領域ＲＢに対して最初に指が触れられた位置の座標（Ｘ１，Ｙ１）と、最後に指が触れられた位置の座標（Ｘ２，Ｙ２）とから、「方法１」の前提条件（｜Ｙ２−Ｙ１｜≦｜Ｘ２−Ｘ１｜）を満足しているか否かを判断する。これは、触れられた指のＸ軸側の変位のほうが、Ｙ軸側の変位よりも大きいか否かを判断するもので、この前提条件を満足している場合、指が左右方向に操作されていると判断される。
【００８４】
そして、この前提条件を満足した上で、右目領域ＲＢに対して指が触れられた位置が、右目領域ＲＢの左側（Ｘａ≦Ｘ１≦（Ｘａ＋Ｘｂ）／２，Ｙａ≦Ｙ１≦Ｙｂ）から、右側（（Ｘａ＋Ｘｂ）／２＜Ｘ２≦Ｘｂ，Ｙａ≦Ｙ２≦Ｙｂ）に移動する操作が行われた場合、そのＸ軸方向の移動距離（｜Ｘ２−Ｘ１｜）に応じて画像（受信ＦＡＸ画像）が拡大されるように調整される。
【００８５】
一方、右目領域ＲＢに対して指が触れられた位置が、右目領域ＲＢの右側（（Ｘａ＋Ｘｂ）／２＜Ｘ１≦Ｘｂ，Ｙａ≦Ｙ１≦Ｙｂ）から、左側（Ｘａ≦Ｘ２≦（Ｘａ＋Ｘｂ）／２，Ｙａ≦Ｙ２≦Ｙｂ）に移動する操作が行われた場合、そのＸ軸方向の移動距離（｜Ｘ２−Ｘ１｜）に応じて画像（受信ＦＡＸ画像）が縮小されるように調整される。
【００８６】
これに対し、受信ＦＡＸデータの画像調整（画像の拡大又は縮小）を行う操作方法として、「方法２」が設定されている場合、ＭＦＰ１は、まず、右目領域ＲＢに対して最初に指が触れられた位置の座標（Ｘ１，Ｙ１）と、最後に指が触れられた位置の座標（Ｘ２，Ｙ２）とから、「方法２」の前提条件（｜Ｙ２−Ｙ１｜＞｜Ｘ２−Ｘ１｜）を満足しているか否かを判断する。これは、触れられた指のＹ軸側の変位のほうが、Ｘ軸側の変位よりも大きいか否かを判断するもので、この前提条件を満足している場合、指が上下方向に操作されていると判断できる。
【００８７】
そして、この前提条件を満足した上で、右目領域ＲＢに対して指が触れられた位置が、右目領域ＲＢの下側（Ｘａ≦Ｘ１≦Ｘｂ，（Ｙａ＋Ｙｂ）／２＜Ｙ１≦Ｙｂ）から、上側（Ｘａ≦Ｘ２≦Ｘｂ，Ｙａ≦Ｙ２≦（Ｙａ＋Ｙｂ）／２）に移動する操作が行われた場合、そのＹ軸方向の移動距離（｜Ｙ２−Ｙ１｜）に応じて画像（受信ＦＡＸ画像）が拡大されるように調整される。
【００８８】
一方、右目領域ＲＢに対して指が触れられた位置が、右目領域ＲＢの上側（Ｘａ≦Ｘ１≦Ｘｂ，Ｙａ≦Ｙ１≦（Ｙａ＋Ｙｂ）／２）から、下側（Ｘａ≦Ｘ２≦Ｘｂ，（Ｙａ＋Ｙｂ）／２＜Ｙ２≦Ｙｂ）に移動する操作が行われた場合、そのＹ軸方向の移動距離（｜Ｙ２−Ｙ１｜）に応じて画像（受信ＦＡＸ画像）が縮小されるように調整される。
【００８９】
一方、図３（ｃ）は、画像調整画面に表示される顔画像がユーザ以外の顔画像である場合に、画像調整（画像のスクロール）を行うための左目領域ＬＢに対する指の操作方法を説明する説明図である。図３（ｃ）に示すように、ユーザ以外の顔画像における左領域ＬＢに割り当てられた画像調整（画像のスクロール）を行う場合においてタッチパネル１７に触れられる指の操作方法としては、方法１のみである。なぜなら、画像のスクロールは、４方向（上方向、下方向、左方向、右方向）の調整が必要だからである。
【００９０】
ＭＦＰ１は、まず、左目領域ＬＢに対して最初に指が触れられた位置の座標（Ｘ１，Ｙ１）と、最後に指が触れられた位置の座標（Ｘ２，Ｙ２）とから、指が、左右方向に操作されたか、上下方向に操作されたかを判断する。指が、左右方向又は上下方向のどちらに操作されたかは、上述した右目領域ＲＢに対する「方法１」の前提条件（｜Ｙ２−Ｙ１｜≦｜Ｘ２−Ｘ１｜）と、「方法２」の前提条件（｜Ｙ２−Ｙ１｜＞｜Ｘ２−Ｘ１｜）に基づいて行う。
【００９１】
ここで、｜Ｙ２−Ｙ１｜≦｜Ｘ２−Ｘ１｜という前提条件を満足した上で、左目領域ＬＢに対して指が触れられた位置が、左目領域ＬＢの左側（Ｘｃ≦Ｘ１≦（Ｘｃ＋Ｘｄ）／２，Ｙｃ≦Ｙ１≦Ｙｄ）から、右側（（Ｘｃ＋Ｘｄ）／２＜Ｘ２≦Ｘｄ，Ｙｃ≦Ｙ２≦Ｙｃ）に移動する操作が行われた場合、そのＸ軸方向の移動距離（｜Ｘ２−Ｘ１｜）に応じて画像（受信ＦＡＸ画像）が右方向にスクロールされるように調整される。
【００９２】
また、同前提条件（｜Ｙ２−Ｙ１｜≦｜Ｘ２−Ｘ１｜）を満足した上で、左目領域ＬＢに対して指が触れられた位置が、左目領域ＬＢの右側（（Ｘｃ＋Ｘｄ）／２＜Ｘ１≦Ｘｄ，Ｙｃ≦Ｙ１≦Ｙｄ）から、左側（Ｘｃ≦Ｘ２≦（Ｘｃ＋Ｘｄ）／２，Ｙｃ≦Ｙ２≦Ｙｄ）に移動する操作が行われた場合、そのＸ軸方向の移動距離（｜Ｘ２−Ｘ１｜）に応じて画像（受信ＦＡＸ画像）が左方向にスクロールされるように調整される。
【００９３】
一方で、｜Ｙ２−Ｙ１｜＞｜Ｘ２−Ｘ１｜という前提条件を満足した上で、左目領域ＬＢに対して指が触れられた位置が、左目領域ＬＢの下側（Ｘｃ≦Ｘ１≦Ｘｄ，（Ｙｃ＋Ｙｄ）／２＜Ｙ１≦Ｙｄ）から、上側（Ｘｃ≦Ｘ２≦Ｘｄ，Ｙｃ≦Ｙ２≦（Ｙｃ＋Ｙｄ）／２）に移動する操作が行われた場合、そのＹ軸方向の移動距離（｜Ｙ２−Ｙ１｜）に応じて画像（受信ＦＡＸ画像）が上方向にスクロールされるように調整される。
【００９４】
また、同前提条件（｜Ｙ２−Ｙ１｜＞｜Ｘ２−Ｘ１｜）を満足した上で、右目領域ＲＢに対して指が触れられた位置が、左目領域ＬＢの上側（Ｘｃ≦Ｘ１≦Ｘｄ，Ｙｃ≦Ｙ１≦（Ｙｃ＋Ｙｄ）／２）から、下側（Ｘｃ≦Ｘ２≦Ｘｄ，（Ｙｃ＋Ｙｄ）／２＜Ｙ２≦Ｙｄ）に移動する操作が行われた場合、そのＹ軸方向の移動距離（｜Ｙ２−Ｙ１｜）に応じて画像（受信ＦＡＸ画像）が下方向にスクロールされるように調整される。
【００９５】
なお、画像調整画面に表示される顔画像がユーザ本人である場合の、画像調整を行うための指の操作方法についての図示は省略するが、ユーザ本人の顔画像における右目領域ＲＢに割り当てられた画像調整（画像の拡大又は縮小）に対する操作方法としては、画像が受信ＦＡＸ画像から送信ＦＡＸ画像に替わる以外は、上述した図３（ｂ）の説明と同一である。
【００９６】
一方、ユーザ本人の顔画像における左目領域ＬＢに割り当てられた画像調整（コントラスト補正）に対する操作方法としては、図３（ｃ）において説明した画像のスクロールの場合と異なり、指を左右方向に操作する「方法１」と、指を上下方向に操作する「方法２」とが準備されている。どちらの方法によって画像調整（コントラスト補正）を行うかは、後述する登録処理（図７および図８参照）の中で、ユーザによって設定される。
【００９７】
まず、送信ＦＡＸデータの画像調整（コントラスト補正）を行う操作方法として、「方法１」が設定されている場合には、「方法１」の前提条件（｜Ｙ２−Ｙ１｜≦｜Ｘ２−Ｘ１）を満足した上で、左目領域ＬＢに対して指が触れられた位置が、左目領域ＬＢの左側（Ｘｃ≦Ｘ１≦（Ｘｃ＋Ｘｄ）／２，Ｙｃ≦Ｙ１≦Ｙｄ）から、右側（（Ｘｃ＋Ｘｄ）／２＜Ｘ２≦Ｘｄ，Ｙｃ≦Ｙ２≦Ｙｃ）に移動する操作が行われた場合、そのＸ軸方向の移動距離（｜Ｘ２−Ｘ１｜）に応じて画像（送信ＦＡＸ画像）のコントラストが高くなるように調整される。
【００９８】
これに対し、同前提条件（｜Ｙ２−Ｙ１｜≦｜Ｘ２−Ｘ１｜）を満足した上で、左目領域ＬＢに対して指が触れられた位置が、左目領域ＬＢの右側（（Ｘｃ＋Ｘｄ）／２＜Ｘ１≦Ｘｄ，Ｙｃ≦Ｙ１≦Ｙｄ）から、左側（Ｘｃ≦Ｘ２≦（Ｘｃ＋Ｘｄ）／２，Ｙｃ≦Ｙ２≦Ｙｄ）に移動する操作が行われた場合、そのＸ軸方向の移動距離（｜Ｘ２−Ｘ１｜）に応じて画像（送信ＦＡＸ画像）のコントラストが低くなるように調整される。
【００９９】
一方で、送信ＦＡＸデータの画像調整（コントラスト補正）を行う操作方法として、「方法２」が設定されている場合には、「方法２」の前提条件（｜Ｙ２−Ｙ１｜＞｜Ｘ２−Ｘ１｜）を満足した上で、左目領域ＬＢに対して指が触れられた位置が、左目領域ＬＢの下側（Ｘｃ≦Ｘ１≦Ｘｄ，（Ｙｃ＋Ｙｄ）／２＜Ｙ１≦Ｙｄ）から、上側（Ｘｃ≦Ｘ２≦Ｘｄ，Ｙｃ≦Ｙ２≦（Ｙｃ＋Ｙｄ）／２）に移動する操作が行われた場合、そのＹ軸方向の移動距離（｜Ｙ２−Ｙ１｜）に応じて画像（送信ＦＡＸ画像）のコントラストが高くなるように調整される。
【０１００】
これに対し、同前提条件（｜Ｙ２−Ｙ１｜＞｜Ｘ２−Ｘ１｜）を満足した上で、右目領域ＲＢに対して指が触れられた位置が、左目領域ＬＢの上側（Ｘｃ≦Ｘ１≦Ｘｄ，Ｙｃ≦Ｙ１≦（Ｙｃ＋Ｙｄ）／２）から、下側（Ｘｃ≦Ｘ２≦Ｘｄ，（Ｙｃ＋Ｙｄ）／２＜Ｙ２≦Ｙｄ）に移動する操作が行われた場合、そのＹ軸方向の移動距離（｜Ｙ２−Ｙ１｜）に応じて画像（送信ＦＡＸ画像）のコントラストが低くなるように調整される。
【０１０１】
次いで、図４を参照して、電話帳メモリ１２ｃの詳細について説明する。図４は、電話帳メモリ１２ｃの内容の一例を模式的に示した模式図である。
【０１０２】
図４に示すように、この電話帳メモリ１２ｃには、登録対象（ユーザ本人、ユーザ以外の相手）毎に、基本情報として、まず、登録対象とする相手の「名前」、「電話番号」、及び「ファクシミリ番号」が格納されている。この「名前」、「電話番号」、及び「ファクシミリ番号」は登録対象に応じて、任意の文字列または数値列が格納される。なお、電話帳メモリ１２ｃに格納されている登録対象毎の情報は、この登録対象の名前もしくは電話番号によって検索される。
【０１０３】
また、電話帳メモリ１２ｃには、登録対象毎に、画像調整画面に表示する顔画像の「画像ファイル名」と「画像種類」とが格納されている。ＭＦＰ１のファクシミリ機能による画像データの送受信を行う場合、ＭＦＰ１は、この「画像ファイル名」を読み出すと共に、その画像ファイル名で示される画像ファイルを画像メモリ１２ｂから読み出して、その画像ファイルの顔画像データに従って顔画像を表示する。
【０１０４】
また、「画像種類」には、「顔：ユーザ以外」および「顔：ユーザ本人」のいずれかが格納され、「顔：ユーザ以外」の場合には、画像調整画面に表示する顔画像が受信ＦＡＸデータの送信元の相手であることを示し、「顔：ユーザ本人」の場合には、その顔画像がユーザ本人であることを示す。
【０１０５】
さらに、電話帳メモリ１２ｃには、登録対象毎に設定された「画像ファイル名」で示される顔画像の右目領域ＲＢに関して、その領域に割り当てられる「調整対象」、その「領域の座標」として、左上の座標（Ｘａ，Ｙａ）および右下の座標（Ｘｂ，Ｙｂ）の値、右目領域ＲＢによって画像調整（画像の拡大又は縮小）を行うための「操作方法」、および、「拡大縮小率」が、登録対象毎に「右目」の詳細項目として格納される。
【０１０６】
「右目」の「調整対象」には、「拡大縮小」が格納され、右目領域ＲＢには、画像の拡大又は縮小を調整する領域が対応付けられる。
【０１０７】
「右目」の「領域の座標」（Ｘａ，Ｘｂ，Ｙａ，Ｙｂ）には、ＬＣＤ１６のＬＣＤパネルに顔画像が表示された場合に、その画像において右目領域ＲＢとして認識したい領域を触れたときに検出されるタッチパネル１７上の座標の範囲が格納される。
【０１０８】
「右目」の「操作方法」には、右目領域ＲＢによる画像調整に対して設定された指の操作方法「方法１」もしくは「方法２」が格納される。ここで、「方法１」が格納される場合には、左右方向の指の操作に応じて、対応する画像調整が行われる。また、「方法２」が格納される場合には、上下方向の指の操作に応じて、対応する画像調整が行われる。
【０１０９】
「右目」の「拡大縮小率」には、右目領域ＲＢに対して触れた指の移動距離の単位長さあたりの拡大縮小率が格納される。
【０１１０】
また、電話帳メモリ１２ｃには、登録対象毎に設定された「画像ファイル名」で示される顔画像の左目領域ＬＢに関しても、その領域に割り当てられる「調整対象」、その「領域の座標」として、左上の座標（Ｘｃ，Ｙｄ）および右下の座標（Ｘｃ，Ｙｄ）の値、左目領域ＬＢによって画像調整を行うための「操作方法」、および、「スクロール量」又は「コントラスト補正量」が、登録対象毎に「左目」の詳細項目として格納される。
【０１１１】
ここで、「左目」の「調整対象」には、「画像種類」が「顔：ユーザ以外」の場合に「スクロール」が格納され、左目領域ＬＢには、画像のスクロールを行うための領域が対応付けられる。また、「画像種類」が「顔：ユーザ本人」の場合に「コントラスト」が格納され、左目領域ＬＢには、画像のコントラストを補正するための領域が対応付けられる。
【０１１２】
また、「スクロール量」は、「画像種類」が「顔：ユーザ以外」である場合に電話帳メモリ１２ｃに格納される項目であり、左目領域ＬＢに対して触れた指の移動距離の単位長さあたりのスクロール量が格納される。
【０１１３】
一方、「コントラスト補正量」は、「画像種類」が「顔：ユーザ本人」である場合に電話帳メモリ１２ｃに格納される項目であり、左目領域ＬＢに対して触れた指の移動距離の単位長さあたりのコントラスト補正量が格納される。
【０１１４】
なお、「左目」に対するその他の各項目の詳細については、右目領域ＲＢに関するものと同じであるため、その説明を省略する。
【０１１５】
次いで、図５及び図６を参照して、顔画像に対する画像調整の手順を登録するための登録画面の詳細について説明する。図５は、顔画像として、予め画像メモリ１２ｂに準備されたユーザ以外用の顔画像データが選択された場合に、その顔画像の右目領域ＲＢによって画像調整（画像の拡大又は縮小）を行うための操作方法と、右目領域ＲＢに対して触れた指の移動距離の単位長さあたりの拡大縮小率を設定するための登録画面の一例を示したイメージ図である。また、図６は、顔画像として、予め画像メモリ１２ｂに準備されたユーザ以外用の顔画像データが選択された場合に、その顔画像の左目領域ＬＢに対して触れた指の移動距離の単位長さあたりのスクロール量を設定するための登録画面の一例を示したイメージ図である。
【０１１６】
顔画像として、予め画像メモリ１２ｂに準備されたユーザ以外用の顔画像データが選択されると、図５（ａ）に示すように、選択されたユーザ以外用の顔画像ＩａがＬＣＤ１６に表示されると共に、画像調整（拡大縮小）に対する設定を行うために「右目」をタッチするように促すメッセージを表示する。また、予め画像メモリ１２ｂに準備された顔画像と併せて格納された右目領域ＲＢの座標を基に、その右目領域ＲＢの位置に、右目ボタンＢＴ１を設ける。
【０１１７】
ＭＦＰ１は、右目ボタンＢＴ１が指で触れられたと判断すると、右目ボタンＢＴ１の座標を、電話帳メモリ１２ｃに設けられた登録対象の相手に対応する「右目」の「領域の座標」（図４参照）に格納すると共に、「右目」の「調整対象」（図４参照）に「拡大縮小」を格納して、図５（ｂ）の画面に移行する。
【０１１８】
なお、顔画像として、メモリカード１４ａやスキャナ２０から読み込んだユーザ以外の顔画像を選択した場合には、図５（ａ）の画面に代えて、右目領域ＲＢを設定するように促す画面を表示する。そして、ＭＦＰ１は、右目領域ＲＢが指によって触れられて入力されたと判断すると、その入力された右目領域ＲＢの座標を、電話帳メモリ１２ｃに設けられた登録対象の相手に対応する「右目」の「領域の座標」（図４参照）に格納すると共に、「右目」の「調整対象」（図４参照）に「拡大縮小」を格納して、図５（ｂ）の画面に移行する。
【０１１９】
図５（ｂ）の画面は、画像調整（この場合は、画像の拡大又は縮小）を行うための操作方法を設定する画面であり、ユーザ以外の顔画像Ｉａ、縦スライドボタンＢＴ２、横スライドボタンＢＴ３、及び、画像調整を行う操作方法の選択を促すメッセージを表示する。ＭＦＰ１は、横スライドボタンＢＴ３が指で触れられたと判断すると、電話帳メモリ１２ｃに設けられた登録対象の相手に対応する「右目」の「操作方法」（図４参照）に「方法１」を格納して、図５（ｃ）の画面に移行する。これにより、画像調整画面において、ユーザが指を右目領域ＲＢに対して左右方向に操作することによって、画像調整（画像の拡大又は縮小）が行われる。
【０１２０】
また、ＭＦＰ１は、縦スライドボタンＢＴ２が指で触れられたと判断すると、電話帳メモリ１２ｃに設けられた登録対象の相手に対応する「右目」の「操作方法」（図４参照）に「方法２」を格納して、図５（ｃ）の画面に移行する。これにより、画像調整画面において、ユーザが指を右目領域ＲＢに対して上下方向に操作することによって、画像調整（
図５（ｃ）の画面は、右目領域ＲＢに対して触れた指の移動距離の単位長さあたりの拡大縮小率を設定する画面であり、ユーザ以外の顔画像Ｉａ、縦スライド状の単位量設定ボタンＢＴ４、上限の拡大縮小率、下限の拡大縮小率、及び、決定ボタンＢＴ６を表示する。なお、設定される拡大縮小率は、デフォルトで「１０％」に設定される。
【０１２１】
ＭＦＰ１は、この画面において、単位量設定ボタンＢＴ４が指で下から上に操作されたと判断すると、その操作にあわせて、拡大縮小率を大きくすると共に、その値をＲＡＭ１３に保存する。一方、単位量設定ボタンＢＴ４が指で上から下に操作されたと判断すると、その操作にあわせて、拡大縮小率を小さくし、その値をＲＡＭ１３に保存する。そして、決定ボタンＢＴ６に指が触れられたと判断すると、図５（ｄ）の画面に移行する。
【０１２２】
図５（ｄ）の画面は、拡大縮小率の設定確認を行う画面であり、単位量設定ボタンＢＴ４、拡大縮小率、「はい」ボタンＢＴ７、「いいえ」ボタンＢＴ８、及び、拡大縮小率の設定確認を促すメッセージを表示する。なお、この画面では、単位量設定ボタンＢＴ４は無効化されている。
【０１２３】
ＭＦＰ１は、この画面において、「いいえ」ボタンＢＴ７が指で触れられたと判断すると、図５（ｃ）の画面に戻り、拡大縮小率を設定する画面が再び表示される。また、「はい」ボタンＢＴ７が指で触れられたと判断すると、ＲＡＭ１３に格納された拡大縮小率を、電話帳メモリ１２ｃに設けられた登録対象の相手に対応する「右目」の「拡大縮小率」（図４参照）に格納する。そして、左目領域ＬＢに対して割り当てる画像調整領域に関する登録画面として、図６（ａ）の画面を表示する。
【０１２４】
図６（ａ）に示すように、左目領域ＬＢに対して割り当てる画像調整領域に関する登録画面には、まず、ユーザ以外の顔画像Ｉａ、画像調整（スクロール）に対する設定を行うために「左目」をタッチするように促すメッセージを表示する。また、予め画像メモリ１２ｂに準備された顔画像と併せて格納された左目領域ＬＢの座標を基に、その左目領域ＬＢの位置に、左目ボタンＢＴ１１を設ける。
【０１２５】
ＭＦＰ１は、左目ボタンＢＴ１１が指で触れられたと判断すると、左目ボタンＢＴ１１の座標を、電話帳メモリ１２ｃに設けられた登録対象の相手に対応する「左目」の「領域の座標」（図４参照）に格納すると共に、「左目」の「調整対象」（図４参照）に「スクロール」を格納する。さらに、上述したように、画像をスクロールさせる場合の操作方法は方法１のみであるので、電話帳メモリ１２ｃに設けられた登録対象の相手に対応する「左目」の「操作方法」（図４参照）に「方法１」を格納して、図６（ｂ）の画面に移行する。
【０１２６】
なお、顔画像として、メモリカード１４ａやスキャナ２０から読み込んだユーザ以外の顔画像を選択した場合には、図６（ａ）の画面に代えて、左目領域ＬＢを設定するように促す画面を表示する。そして、ＭＦＰ１は、左目領域ＬＢが指によって触れられて入力されたと判断すると、その入力された左目領域ＬＢの座標を、電話帳メモリ１２ｃに設けられた登録対象の相手に対応する「左目」の「領域の座標」（図４参照）に格納すると共に、「左目」の「調整対象」及び「操作方法」（図４参照）に、それぞれ、「スクロール」及び「方法１」を格納して、図６（ｂ）の画面に移行する。
【０１２７】
図６（ｂ）の画面は、左目領域ＬＢに対して触れた指の移動距離の単位長さあたりのスクロール量を設定する画面であり、ユーザ以外の顔画像Ｉａ、縦スライド状の単位量設定ボタンＢＴ１４、上限のスクロール量、下限のスクロール量、及び、決定ボタンＢＴ１６を表示する。なお、設定されるスクロール量は、デフォルトで「５」に設定される。
【０１２８】
ＭＦＰ１は、この画面において、単位量設定ボタンＢＴ１４が指で下から上に操作されたと判断すると、その操作にあわせて、スクロール量を大きくすると共に、その値をＲＡＭ１３に保存する。一方、単位量設定ボタンＢＴ１４が指で上から下に操作されたと判断すると、その操作にあわせて、スクロール量を小さくし、その値をＲＡＭ１３に保存する。そして、決定ボタンＢＴ１６に指が触れられたと判断すると、図６（ｃ）の画面に移行する。
【０１２９】
図６（ｃ）の画面は、スクロール量の設定確認を行う画面であり、単位量設定ボタンＢＴ１４、スクロール量、「はい」ボタンＢＴ１７、「いいえ」ボタンＢＴ１８、及び、スクロール量の設定確認を促すメッセージを表示する。なお、この画面では、単位量設定ボタンＢＴ１４は無効化されている。
【０１３０】
ＭＦＰ１は、この画面において、「いいえ」ボタンＢＴ１７が指で触れられたと判断すると、図６（ｂ）の画面に戻り、スクロール量を設定する画面が再び表示される。また、「はい」ボタンＢＴ１７が指で触れられたと判断すると、ＲＡＭ１３に格納されたスクロール量を、電話帳メモリ１２ｃに設けられた登録対象の相手に対応する「左目」の「スクロール量」（図４参照）に格納する。
【０１３１】
このように、本実施形態によれば、タッチパネル方式によって画像調整を行うための領域（右目領域ＲＢ又は左目領域ＬＢ）を指定することができる。よって、登録画面に表示された顔画像を見ながら、画像調整を行うための領域を容易に指定することができる。
【０１３２】
また、登録画面に表示された顔画像に対し、画像調整を行うための領域と、該領域に対する操作内容（操作方法、及び、触れた指の移動距離の単位長さあたりの変更量）とを必要に応じて設定できるので、ユーザは、画像調整を行う際に、直感的に画像調整を行うことができる。そして、そのように画像調整を行うための領域を必要に応じて設定した顔画像を利用することにより、ユーザは、画像調整を行う際に、設定した領域及びその領域に対する操作方法（即ち、その領域に対して設定すべき位置の変位（方向及び量））と、画像調整との対応が付け易く、操作に対する困難性が抑制される。
【０１３３】
なお、図５及び図６では、顔画像として、予め画像メモリ１２ｂに準備されたユーザ以外用の顔画像データが選択された場合について説明したが、ユーザ本人の顔画像データが顔画像として選択される場合も同様に、顔画像に対する画像調整の手順を登録することができる。
【０１３４】
具体的には、ユーザ本人の顔画像データが顔画像として選択される場合には、顔画像の右目領域ＲＢに割り当てられている画像調整（画像の拡大又は縮小）の手順については、ＬＣＤ１６に表示される顔画像が、ユーザ本人のものになること以外は、図５のイメージ図と同一である。
【０１３５】
一方、ユーザ本人の顔画像の右目領域ＬＢに割り当てられている画像調整（コントラスト補正）の手順を登録する場合には、図５に示すイメージ図において、顔画像をユーザ本人の顔画像にすると共に、「拡大縮小」及び「拡大縮小率」を、それぞれ、「コントラスト補正」および「コントラスト補正量」に変更する。
【０１３６】
よって、ユーザ本人の顔画像データが顔画像として選択された場合には、電話帳メモリ１２ｃに設けられた登録対象の相手（即ち、ユーザ本人）に対応する「左目」の「調整対象」（図４参照）には「コントラスト補正」が格納され、「コントラスト補正量」には、設定及び確定されたコントラスト補正量が格納される。
【０１３７】
次いで、図７および図８を参照して、ＭＦＰ１のＣＰＵ１１で実行される登録処理について説明する。図７および図８は、ＭＦＰ１において実行される登録処理を示すフローチャートである。この登録処理は、画像調整画面に表示する顔画像を登録すると共に、その画像に対して画像調整を行うための領域の対応付けを行う処理である。この処理は、操作キー１５の操作によって、ユーザから画像調整画面に表示する顔画像の登録の指示が行われた場合に、開始される。
【０１３８】
この登録処理では、まず、登録対象の人物（登録対象とする人物の顔画像）が、電話帳メモリ１２ｃから選択されたか否か、若しくは、操作キー１５によってその人物の名前が入力されたか否かを判断する（Ｓ１）。ここで、電話帳メモリ１２ｃからの選択も、操作キー１５からの入力もされていないと判断される場合には（Ｓ１：Ｎｏ）、Ｓ１の処理を再び実行する。これにより、電話帳メモリ１２ｃからの選択、若しくは、操作キー１５からの入力が行われるまで、処理がウェイトされる。
【０１３９】
そして、Ｓ１の処理の結果、登録対象の人物が、電話帳メモリ１２ｃから選択された、若しくは、操作キー１５からの入力が行われたと判断されると（Ｓ１：Ｙｅｓ）、続いて、登録すべき顔画像の画像データが選択されたか否かを判断する（Ｓ２）。ここで、登録すべき顔画像の画像データが選択されていないと判断される場合には（Ｓ２：Ｎｏ）、Ｓ２の処理を再び実行する。これにより、登録すべき顔画像の画像データが選択されるまで、処理がウェイトされる。
【０１４０】
そして、Ｓ２の処理の結果、登録すべき顔画像の画像データが選択されると（Ｓ２：Ｙｅｓ）、その選択された画像のファイル名を、電話帳メモリ１２ｃに設けられた登録対象の相手に対応する「画像ファイル名」（図４参照）に格納した上で、次いで、その選択された画像が、予めＭＦＰ１の出荷時に画像メモリ１２ｂに準備されていた顔画像であるか否かを判断する（Ｓ３）。
【０１４１】
その結果、予め準備されていた顔画像であると判断される場合には（Ｓ３：Ｙｅｓ）、次に、その顔画像の画像データと併せて画像メモリ１２ｂに格納された情報から、選択された顔画像が、ユーザ以外用のものであるか否かを判断する（Ｓ４）。
【０１４２】
そして、選択された顔画像がユーザ以外用のものであると判断される場合（Ｓ４：Ｙｅｓ）、電話帳メモリ１２ｃに設けられた登録対象の相手に対応する「画像種類」（図４参照）に「顔：ユーザ以外」を格納した上で、「右目」をタッチするように促す画面（図５（ａ）参照）を表示する（Ｓ５）。
【０１４３】
そして、「右目」（右目ボタンＢＴ１）がタッチされたか否かを判断し（Ｓ６）、「右目」（右目ボタンＢＴ１）がタッチされていないと判断される場合には（Ｓ６：Ｎｏ）、再びＳ６の処理を実行する。これにより、「右目」（右目ボタンＢＴ１）がタッチされるまで、処理がウェイトされる。
【０１４４】
そして、Ｓ６の処理の結果、「右目」（右目ボタンＢＴ１）がタッチされたと判断される場合には（Ｓ６：Ｙｅｓ）、選択された顔画像の右目領域ＲＢの座標を、電話帳メモリ１２ｃに設けられた登録対象の相手に対応する「右目」の「領域の座標」（図４参照）に格納すると共に、「右目」の「調整対象」（図４参照）に「拡大縮小」を格納する。
【０１４５】
そして、画像調整（画像の拡大又は縮小）に関する各種設定の登録画面（図５（ｂ）〜（ｄ）参照）を表示し、操作方法や拡大縮小率を受け付け、これらをそれぞれ電話帳メモリ１２ｃに設けられた登録対象の相手に対応する「右目」の「操作方法」、「拡大縮小率」に格納する（Ｓ７）。これにより、ユーザ以外の顔画像における右目領域ＲＢに対する画像調整領域の対応付けと、その画像調整（即ち、受信ＦＡＸ画像の拡大縮小）に関する各種設定とが完了する。
【０１４６】
次いで、選択された顔画像を表示すると共に、「左目」をタッチするように促す画面（図６（ａ）参照）を表示する（Ｓ８）。そして、左目領域ＬＢに割り当てられたボタン（左目ボタンＢＴ１１）がタッチされたか否かを判断し（Ｓ９）、そのボタンがタッチされていないと判断される場合には（Ｓ９：Ｎｏ）、再びＳ９の処理を実行する。これにより、左目領域ＬＢに割り当てられたボタンがタッチされるまで、処理がウェイトされる。
【０１４７】
そして、Ｓ９の処理の結果、左目領域ＬＢに割り当てられたボタンがタッチされたと判断される場合には（Ｓ９：Ｙｅｓ）、選択された顔画像の左目領域ＬＢの座標を、電話帳メモリ１２ｃに設けられた登録対象の相手に対応する「左目」の「領域の座標」（図４参照）に格納すると共に、「左目」の「調整対象」（図４参照）に「スクロール」を格納する。
【０１４８】
そして、画像調整（画像のスクロール）に関する各種設定の登録画面（図６（ｂ），図６（ｃ）参照）を表示し、スクロール量を受け付け、その値を電話帳メモリ１２ｃに設けられた登録対象の相手に対応する「左目」の「スクロール量」に格納する（Ｓ１０）。これにより、ユーザ以外の顔画像における左目領域ＬＢに対する画像調整領域の対応付けと、その画像調整（即ち、受信ＦＡＸ画像のスクロール）に関する各種設定とが完了する。Ｓ１０の処理の後、Ｓ１１の処理へ移行する。
【０１４９】
一方、Ｓ４の処理の結果、選択された顔画像がユーザ以外用のものでない、即ちユーザ本人用のものであると判断される場合（Ｓ４：Ｎｏ）、電話帳メモリ１２ｃに設けられた登録対象の相手に対応する「画像種類」（図４参照）に「顔：ユーザ本人」を格納した上で、Ｓ５の処理と同様に、「右目」をタッチするように促す画面を表示する（Ｓ１２）。
【０１５０】
そして、右目領域ＲＢに割り当てられたボタンがタッチされたか否かを判断し（Ｓ１３）、そのボタンがタッチされていないと判断される場合には（Ｓ１３：Ｎｏ）、再びＳ１１の処理を実行する。これにより、右目領域ＲＢに割り当てられたボタンがタッチされるまで、処理がウェイトされる。
【０１５１】
そして、Ｓ１３の処理の結果、右目領域ＲＢに割り当てられたボタンがタッチされたと判断される場合には（Ｓ１３：Ｙｅｓ）、選択された顔画像の右目領域ＲＢの座標を、電話帳メモリ１２ｃに設けられた登録対象の相手に対応する「右目」の「領域の座標」（図４参照）に格納すると共に、「右目」の「調整対象」（図４参照）に「拡大縮小」を格納する。
【０１５２】
そして、画像調整（画像の拡大又は縮小）に関する各種設定の登録画面を表示し、操作方法や拡大縮小率を受け付け、これらをそれぞれ電話帳メモリ１２ｃに設けられた登録対象の相手に対応する「右目」の「操作方法」、「拡大縮小率」に格納する（Ｓ１４）。これにより、ユーザ本人の顔画像における右目領域ＲＢに対する画像調整領域の対応付けと、その画像調整（即ち、送信ＦＡＸ画像の拡大縮小）に関する各種設定とが完了する。
【０１５３】
次いで、Ｓ８の処理と同様に、「左目」をタッチするように促す画面を表示する（Ｓ１５）。そして、左目領域ＬＢに割り当てられたボタンがタッチされたか否かを判断し（Ｓ１６）、そのボタンがタッチされていないと判断される場合には（Ｓ１６：Ｎｏ）、再びＳ１６の処理を実行する。これにより、左目領域ＬＢに割り当てられたボタンがタッチされるまで、処理がウェイトされる。
【０１５４】
そして、Ｓ１６の処理の結果、左目領域ＬＢに割り当てられたボタンがタッチされたと判断される場合には（Ｓ１６：Ｙｅｓ）、選択された顔画像の左目領域ＬＢの座標を、電話帳メモリ１２ｃに設けられた登録対象の相手に対応する「左目」の「領域の座標」（図４参照）に格納すると共に、「左目」の「調整対象」（図４参照）に「コントラスト補正」を格納する。
【０１５５】
そして、画像調整（画像のコントラスト補正）に関する各種設定の登録画面を表示し、操作方法やコントラスト補正量を受け付け、これらをそれぞれ電話帳メモリ１２ｃに設けられた登録対象の相手に対応する「左目」の「操作方法」、「コントラスト補正量」に格納する（Ｓ１７）。これにより、ユーザ本人の顔画像における左目領域ＬＢに対する画像調整領域の対応付けと、その画像調整（即ち、送信ＦＡＸ画像のコントラスト補正）に関する各種設定とが完了する。Ｓ１７の処理の後、Ｓ１１の処理へ移行する。
【０１５６】
これに対し、Ｓ３の処理の結果、選択された顔画像が、予めＭＦＰ１の出荷時に画像メモリ１２ｂに準備されていた顔画像ではなく、他から（例えば、メモリカード１４ａやスキャナ２０）から取り込んだ画像であると判断される場合には（Ｓ３：Ｎｏ）、図８のＳ１８の処理へ移行する。
【０１５７】
図８のＳ１８の処理では、選択された顔画像が、ユーザ以外であるか、ユーザ本人であるかを選択させる画面を表示する。そしてＳ１８の処理の選択結果に基づき、選択された顔画像が、ユーザ以外であるか否かを判断する（Ｓ１９）。その結果、選択された顔画像がユーザ以外であると判断される場合には（Ｓ１９：Ｙｅｓ）、電話帳メモリ１２ｃに設けられた登録対象の相手に対応する「画像種類」（図４参照）に「顔：ユーザ以外」を格納した上で、その顔画像に対して、右目領域ＲＢを設定させる画像を表示する（Ｓ２０）。
【０１５８】
そして、右目領域ＲＢが入力されたか否かを判断し（Ｓ２１）、入力されていないと判断される場合には（Ｓ２１：Ｎｏ）、Ｓ２１の処理を再度実行する。これにより、右目領域ＲＢが入力されるまで、処理がウェイトされる。
【０１５９】
一方、Ｓ２１の処理の結果、右目領域ＲＢが入力されたと判断されると（Ｓ２１：Ｙｅｓ）、次いで、入力された領域の座標を抽出し、その領域を画像調整領域として受け付けて、その座標を電話帳メモリ１２ｃに設けられた登録対象の相手に対応する「右目」の「領域の座標」（図４参照）に格納すると共に、「右目」の「調整対象」（図４参照）に「拡大縮小」を格納する（Ｓ２２）。
【０１６０】
そして、画像調整（画像の拡大又は縮小）に関する各種設定の登録画面（図５（ｂ）〜（ｄ）参照）を表示し、操作方法や拡大縮小率を受け付け、これらをそれぞれ電話帳メモリ１２ｃに設けられた登録対象の相手に対応する「右目」の「操作方法」、「拡大縮小率」に格納する（Ｓ２３）。これにより、ユーザ以外の顔画像における右目領域ＲＢに対する画像調整領域の対応付けと、その画像調整（即ち、受信ＦＡＸ画像の拡大縮小）に関する各種設定とが完了する。
【０１６１】
次に、選択された顔画像に対して、左目領域ＬＢを設定させる画像を表示する（Ｓ２４）。そして、左目領域ＬＢが入力されたか否かを判断し（Ｓ２５）、入力されていないと判断される場合には（Ｓ２５：Ｎｏ）、Ｓ２５の処理を再度実行する。これにより、左目領域ＬＢが入力されるまで、処理がウェイトされる。
【０１６２】
一方、Ｓ２５の処理の結果、左目領域ＬＢが入力されたと判断されると（Ｓ２５：Ｙｅｓ）、次いで、入力された領域の座標を抽出し、その領域を画像調整領域として受け付けて、その座標を電話帳メモリ１２ｃに設けられた登録対象の相手に対応する「左目」の「領域の座標」（図４参照）に格納すると共に、「左目」の「調整対象」（図４参照）に「スクロール」を格納する（Ｓ２６）。
【０１６３】
そして、画像調整（画像のスクロール）に関する各種設定の登録画面（図６（ｂ），図６（ｃ）参照）を表示し、スクロール量を受け付け、その値を電話帳メモリ１２ｃに設けられた登録対象の相手に対応する「右目」の「スクロール量」に格納する（Ｓ２７）。これにより、ユーザ以外の顔画像における左目領域ＬＢに対する画像調整領域の対応付けと、その画像調整（即ち、受信ＦＡＸ画像のスクロール）に関する各種設定とが完了する。Ｓ２７の処理の後、図７のＳ１１の処理へ移行する。
【０１６４】
一方、図８のＳ１９の処理で、選択された顔画像がユーザ以外でない、即ち、ユーザ本人であると判断される場合には（Ｓ１９：Ｎｏ）、電話帳メモリ１２ｃに設けられた登録対象の相手に対応する「画像種類」（図４参照）に「顔：ユーザ本人」を格納した上で、その顔画像に対して、右目領域ＲＢを設定させる画像を表示する（Ｓ２８）。
【０１６５】
そして、右目領域ＲＢが入力されたか否かを判断し（Ｓ２９）、入力されていないと判断される場合には（Ｓ２９：Ｎｏ）、Ｓ２９の処理を再度実行する。これにより、右目領域ＲＢが入力されるまで、処理がウェイトされる。
【０１６６】
一方、Ｓ２９の処理の結果、右目領域ＲＢが入力されたと判断されると（Ｓ２９：Ｙｅｓ）、次いで、入力された領域の座標を抽出し、その領域を画像調整領域として受け付けて、その座標を電話帳メモリ１２ｃに設けられた登録対象の相手に対応する「右目」の「領域の座標」（図４参照）に格納すると共に、「右目」の「調整対象」（図４参照）に「拡大縮小」を格納する（Ｓ３０）。
【０１６７】
画像調整（画像の拡大又は縮小）に関する各種設定の登録画面を表示し、操作方法や拡大縮小率を受け付け、これらをそれぞれ電話帳メモリ１２ｃに設けられた登録対象の相手に対応する「右目」の「操作方法」、「拡大縮小率」に格納する（Ｓ３１）。これにより、ユーザ本人の顔画像における右目領域ＲＢに対する画像調整領域の対応付けと、その画像調整（即ち、送信ＦＡＸ画像の拡大縮小）に関する各種設定とが完了する。
【０１６８】
次に、選択された顔画像に対して、左目領域ＬＢを設定させる画像を表示する（Ｓ３２）。そして、左目領域ＬＢが入力されたか否かを判断し（Ｓ３３）、入力されていないと判断される場合には（Ｓ３３：Ｎｏ）、Ｓ３３の処理を再度実行する。これにより、左目領域ＬＢが入力されるまで、処理がウェイトされる。
【０１６９】
一方、Ｓ３３の処理の結果、左目領域ＬＢが入力されたと判断されると（Ｓ３３：Ｙｅｓ）、次いで、入力された領域の座標を抽出し、その領域を画像調整領域として受け付けて、その座標を電話帳メモリ１２ｃに設けられた登録対象の相手に対応する「左目」の「領域の座標」（図４参照）に格納すると共に、「左目」の「調整対象」（図４参照）に「コントラスト補正」を格納する（Ｓ３３）。
【０１７０】
そして、画像調整（画像のコントラスト補正）に関する各種設定の登録画面を表示し、操作方法やコントラスト補正量を受け付け、これらをそれぞれ電話帳メモリ１２ｃに設けられた登録対象の相手に対応する「左目」の「操作方法」、「コントラスト補正量」に格納する（Ｓ３５）。これにより、ユーザ本人の顔画像における左目領域ＬＢに対する画像調整領域の対応付けと、その画像調整（即ち、送信ＦＡＸ画像のコントラスト補正）に関する各種設定とが完了する。Ｓ３５の処理の後、図７のＳ１１の処理へ移行する。
【０１７１】
図７のＳ１１の処理では、別の登録対象の人物（登録対象とする別の人物の顔画像）が、電話帳メモリ１２ｃから選択されたか否か、若しくは、操作キー１５によってその人物の名前が入力されたか否かを判断する（Ｓ１１）。そして、別の登録対象の人物が、電話帳メモリ１２ｃから選択された、若しくは、操作キー１５からの入力が行われたと判断される場合には（Ｓ１１：Ｙｅｓ）、Ｓ２の処理に回帰し、再びＳ２〜Ｓ３５の処理を実行する。
【０１７２】
一方、Ｓ１１の処理の結果、電話帳メモリ１２ｃからの選択も、操作キー１５からの入力もされていないと判断される場合には（Ｓ１１：Ｎｏ）、この登録処理を終了する。
【０１７３】
以上、この登録処理によって、受信ＦＡＸ画像又は送信ＦＡＸ画像の調整を行うための画像調整領域に対する操作方法を、ユーザ自身で設定できるため、ユーザは、画像調整画面が表示されたときに、ユーザの直観的な操作で、受信ＦＡＸ画像又は送信ＦＡＸ画像に対する画像調整を行うことができる。
【０１７４】
また、メモリカード１４ａやスキャナ２０などによって取り込んだ画像に対しても、画像調整領域を割り当てる右目領域ＲＢや左目領域ＬＢをユーザ自身で設定できるため、ユーザは、画像調整画面が表示されたときに、ユーザの直観的な操作で、受信ＦＡＸ画像又は送信ＦＡＸ画像に対する画像調整を行うことができる。
【０１７５】
次いで、図９から図１１を参照して、ＭＦＰ１のＣＰＵ１１で実行される受信ＦＡＸ画像調整処理について説明する。図９は、ＭＦＰ１において実行される受信ＦＡＸ画像調整処理を示すフローチャートである。
【０１７６】
この受信ＦＡＸ画像調整処理は、ＬＣＤ１６に画像調整画面を表示し、その画面に対する指の操作内容に応じて、受信ＦＡＸ画像に対する画像調整を行う処理である。この受信ＦＡＸ画像調整処理は、操作キー１５の操作によって、ユーザが外部装置２００から受信ＦＡＸ画像をＬＣＤ１６に表示する場合に、開始される
受信ＦＡＸ画像調整処理では、まず、画像調整画面に受信ＦＡＸデータ画像をＬＣＤ１６の右画面１６Ｒにサムネイル表示すると共に、受信ＦＡＸデータの送信元に対応する顔画像（即ち、ユーザ以外の顔画像）をＬＣＤ１６の左画面１６Ｌ表示する（Ｓ４１）。なお、受信ＦＡＸデータの送信元に対応する顔画像は、受信ＦＡＸデータの送信元に対し、電話帳メモリ１２ｃに格納された「画像ファイル名」（図４参照）を読み出し、そして、その画像ファイル名で示される画像ファイルを画像メモリ１２ｂから読み出すことによって表示される。
【０１７７】
次いで、受信ＦＡＸデータの送信元に対応する相手に対して、電話帳メモリ１２ｃに格納された「右目」の「調整対象」、「領域の座標」、「操作方法」、「拡大縮小率」を読み出し、それぞれＲＡＭ１３に記憶する（Ｓ４２）。これにより、画像調整画面の顔画像に対して、「領域の座標」で定まる右目領域ＲＢに、「調整対象」の内容（即ち、画像の拡大又は縮小）に従う画像調整領域が割り当てられる。また、「操作方法」によって、その右目領域ＲＢによって画像調整を行う場合に指によって操作されるべき操作内容が決まり、「拡大縮小率」によって、右目領域ＲＢに対して触れた指の移動距離の単位長さあたりの拡大縮小率が定まる。
【０１７８】
また、受信ＦＡＸデータの送信元に対応する相手に対して、電話帳メモリ１２ｃに格納された「左目」の「調整対象」、「領域の座標」、「操作方法」、「スクロール量」を読み出し、それぞれＲＡＭ１３に記憶する（Ｓ４３）。これにより、画像調整画面の顔画像に対して、「領域の座標」で定まる左目領域ＬＢに、「調整対象」の内容（即ち、画像のスクロール）に従う画像調整領域が割り当てられる。また、「操作方法」によって、その左目領域ＬＢによって画像調整を行う場合に指によって操作されるべき操作内容が決まり、「スクロール量」によって、左目領域ＬＢに対して触れた指の移動距離の単位長さあたりのスクロール量が定まる。
【０１７９】
Ｓ４３の処理の後、タッチパネル１７が指で触れられたか否かを判断する（Ｓ４４）。そして、タッチパネル１７が指で触れられたと判断される場合には（Ｓ４４：Ｙｅｓ）、その指で触れられた領域がＳ４２の処理で割り当てられた右目領域ＲＢであるか否かを判断する（Ｓ４５）。その結果、右目領域ＲＢであると判断される場合には（Ｓ４５：Ｙｅｓ）、後述する受信画像右目押下処理（図１０参照）が実行され（Ｓ４６）、Ｓ４７の処理へ移行する。これにより、右目領域ＲＢに対して割り当てられた画像調整領域および操作方法に応じた、受信ＦＡＸ画像に対する画像調整（画像の拡大又は縮小）が行われる。
【０１８０】
一方、Ｓ４５の処理の結果、Ｓ４４の処理において指で触れられた領域が右目領域ＲＢでないと判断される場合（Ｓ４５：Ｎｏ）には、Ｓ４６の処理をスキップし、Ｓ４７の処理へ移行する。
【０１８１】
Ｓ４７の処理では、Ｓ４４の処理において指で触れられた領域が、Ｓ４３の処理で割り当てられた左目領域ＬＢであるか否かを判断する（Ｓ４７）。その結果、左目領域ＬＢであると判断される場合には（Ｓ４７：Ｙｅｓ）、後述する受信画像左目押下処理（図１１参照）が実行され（Ｓ４８）、Ｓ４９の処理へ移行する。これにより、左目領域ＬＢに対して割り当てられた画像調整領域および操作方法に応じた、受信ＦＡＸ画像に対する画像調整（画像のスクロール）が行われる。
【０１８２】
一方、Ｓ４７の処理の結果、Ｓ４４の処理において指で触れられた領域が左目領域ＬＢでないと判断される場合（Ｓ４７：Ｎｏ）には、指で触れられた領域が画像調整領域ではないので、Ｓ４８の処理をスキップし、Ｓ４９の処理へ移行する。
【０１８３】
また、Ｓ４４の処理の結果、タッチパネル１７が指で触れられていないと判断される場合もまた（Ｓ４４：Ｎｏ）、Ｓ４９の処理へ移行する。
【０１８４】
Ｓ４９の処理では、終了キー（操作キー１５の一部）が押されたか否かを判断する（Ｓ４９）。そして、終了キーが押されていない場合には（Ｓ４９：Ｎｏ）、Ｓ４４の処理へ回帰し、Ｓ４４〜Ｓ４９の処理が再び実行される。一方、Ｓ４９の処理の結果、終了キーが押されたと判断される場合には（Ｓ４９：Ｙｅｓ）、この受信ＦＡＸ画像調整処理を終了する。
【０１８５】
次いで、図１０を参照して、上述した受信画像右目押下処理（Ｓ４６）について説明する。図１０は、図９の受信ＦＡＸ画像調整処理の中で実行される受信画像右目押下処理（Ｓ４６）を示すフローチャートである。
【０１８６】
この受信画像右目押下処理（Ｓ４６）では、まず、図９のＳ４２の処理によってＲＡＭ１３に記憶された情報から、右目領域ＲＢに対する操作方法が、方法１であるか否かを判断する（Ｓ１０１）。この方法１は、図３（ｂ）に示したように、画像調整領域（右目領域ＲＢ）に対して触れられた指が左右方向に操作された場合に、画像調整（画像の拡大又は縮小）を行うものである。
【０１８７】
Ｓ１０１の処理の結果、操作方法が方法１であると判断される場合には（Ｓ１０１：Ｙｅｓ）、画像調整領域である右目領域ＲＢに対して触れられた指が、左から右に操作されたか否かを、図３（ｂ）に示した判定条件に従って判断する（Ｓ１０２）。そして、右目領域ＲＢに対して触れられた指が、左から右に操作されたと判断される場合には（Ｓ１０２：Ｙｅｓ）、受信ＦＡＸ画像を指の移動距離（変位量）に応じて拡大し（Ｓ１０３）、この受信画像右目押下処理（Ｓ４６）を終了する。
【０１８８】
一方、Ｓ１０２の処理の結果、右目領域ＲＢに対して触れられた指が、左から右に操作されていないと判断される場合には（Ｓ１０２：Ｎｏ）、右目領域ＲＢに対して触れられた指が、右から左に操作されたか否かを、図３（ｂ）に示した判定条件に従って判断する（Ｓ１０４）。そして、右目領域ＲＢに対して触れられた指が、右から左に操作されたと判断される場合には（Ｓ１０４：Ｙｅｓ）、受信ＦＡＸ画像を指の移動距離（変位量）に応じて縮小し（Ｓ１０５）、この受信画像右目押下処理（Ｓ４６）を終了する。
【０１８９】
一方、Ｓ１０４の処理の結果、右目領域ＲＢに対して触れられた指が、右から左に操作されていないと判断される場合（Ｓ１０４：Ｎｏ）、右目領域ＲＢ（画像調整領域）に対して触れられた指が左右方向に操作されていないと判断できるので、受信ＦＡＸ画像の状態を維持したまま、この受信画像右目押下処理（Ｓ４６）を終了する。
【０１９０】
これに対し、Ｓ１０１の処理の結果、操作方法が方法１でないと判断される場合には（Ｓ１０１：Ｎｏ）、操作方法が方法２であると判断できる。この方法２は、図３（ｂ）に示したように、画像調整領域である右目領域ＲＢに対して触れられた指が上下方向に操作された場合に、画像調整（画像の拡大又は縮小）を行うものである。
【０１９１】
そこで、右目領域ＲＢに対して触れられた指が、下から上に操作されたか否かを、図３（ｂ）に示した判定条件に従って判断する（Ｓ１０６）。そして、右目領域ＲＢに対して触れられた指が、下から上に操作されたと判断される場合には（Ｓ１０６：Ｙｅｓ）、受信ＦＡＸ画像を指の移動距離（変位量）に応じて拡大し（Ｓ１０７）、この受信画像右目押下処理（Ｓ４６）を終了する。
【０１９２】
一方、Ｓ１０６の処理の結果、右目領域ＲＢに対して触れられた指が、下から上に操作されていないと判断される場合には（Ｓ１０６：Ｎｏ）、右目領域ＲＢに対して触れられた指が、上から下に操作されたか否かを、図３（ｂ）に示した判定条件に従って判断する（Ｓ１０８）。そして、右目領域ＲＢに対して触れられた指が、上から下に操作されたと判断される場合（Ｓ１０８：Ｙｅｓ）、受信ＦＡＸ画像を指の移動距離（変位量）に応じて縮小し（Ｓ１０９）、この受信画像右目押下処理（Ｓ４６）を終了する。
【０１９３】
一方、Ｓ１０８の処理の結果、右目領域ＲＢに対して触れられた指が、上から下に操作されていないと判断される場合（Ｓ１０８：Ｎｏ）、右目領域ＲＢ（画像調整領域）に対して触れられた指が上下方向に操作されていないと判断できるので、受信ＦＡＸ画像の状態を維持したまま、この受信画像右目押下処理（Ｓ４６）を終了する。
【０１９４】
次いで、図１１を参照して、上述した受信画像左目押下処理（Ｓ４８）について説明する。図１１は、図９の受信ＦＡＸ画像調整処理の中で実行される受信画像左押下処理（Ｓ４８）を示すフローチャートである。
【０１９５】
この受信画像左目押下処理（Ｓ４８）では、まず、画像調整領域である左目領域ＬＢに対して触れられた指が、上から下に操作されたか否かを、図３（ｃ）に示した判定条件に従って判断する（Ｓ１１１）。そして、左目領域ＬＢに対して触れられた指が、上から下に操作されたと判断される場合には（Ｓ１１１：Ｙｅｓ）、スクロール可能範囲の下端に達しているか否かを確認する（Ｓ１１５）。
【０１９６】
ここで、スクロール可能範囲の下端に達していない場合には（Ｓ１１５：Ｎｏ）、受信ＦＡＸ画像を指の移動距離（変位量）に応じて下方向にスクロールする（Ｓ１１６）。なお、Ｓ１１６の処理によるスクロール中にスクロール可能範囲の下端に達した場合には、指の移動距離にかかわらず、スクロール可能範囲の下端にてスクロールを終了する。Ｓ１１６の処理後、この受信画像右目押下処理（Ｓ４６）を終了する。
【０１９７】
一方で、Ｓ１１５の処理の結果、スクロール可能範囲の下端に達している場合には（Ｓ１１５：Ｙｅｓ）、下方向へはそれ以上スクロールすることができないので、受信ＦＡＸ画像の状態を維持したまま、この受信画像左目押下処理（Ｓ４８）を終了する。
【０１９８】
また、Ｓ１１１の処理の結果、左目領域ＬＢに対して触れられた指が、上から下に操作されていないと判断される場合には（Ｓ１１１：Ｎｏ）、左目領域ＬＢに対して触れられた指が、下から上に操作されたか否かを、図３（ｃ）に示した判定条件に従って判断する（Ｓ１１２）。そして、左目領域ＬＢに対して触れられた指が、下から上に操作されたと判断される場合には（Ｓ１１２：Ｙｅｓ）、スクロール可能範囲の上端に達しているか否かを確認する（Ｓ１１７）。
【０１９９】
Ｓ１１７の処理の結果、スクロール可能範囲の上端に達していない場合には（Ｓ１１７：Ｎｏ）、受信ＦＡＸ画像を指の移動距離（変位量）に応じて上方向にスクロールする（Ｓ１１８）。なお、Ｓ１１８の処理によるスクロール中にスクロール可能範囲の上端に達した場合には、指の移動距離にかかわらず、スクロール可能範囲の上端にてスクロールを終了する。Ｓ１１８の処理後、この受信画像左目押下処理（Ｓ４８）を終了する。
【０２００】
一方で、Ｓ１１７の処理の結果、スクロール可能範囲の上端に達している場合には（Ｓ１１７：Ｙｅｓ）、上方向へはそれ以上スクロールすることができないので、受信ＦＡＸ画像の状態を維持したまま、この受信画像左目押下処理（Ｓ４８）を終了する。
【０２０１】
また、Ｓ１１２の処理の結果、左目領域ＬＢに対して触れられた指が、下から上に操作されていないと判断される場合には（Ｓ１１２：Ｎｏ）、左目領域ＬＢに対して触れられた指が、左から右に操作されたか否かを、図３（ｃ）に示した判定条件に従って判断する（Ｓ１１３）。そして、左目領域ＬＢに対して触れられた指が、左から右に操作されたと判断される場合には（Ｓ１１３：Ｙｅｓ）、スクロール可能範囲の右端に達しているか否かを確認する（Ｓ１１９）。
【０２０２】
Ｓ１１９の処理の結果、スクロール可能範囲の右端に達していない場合には（Ｓ１１９：Ｎｏ）、受信ＦＡＸ画像を指の移動距離（変位量）に応じて右方向にスクロールする（Ｓ１２０）。なお、Ｓ１２０の処理によるスクロール中にスクロール可能範囲の右端に達した場合には、指の移動距離にかかわらず、スクロール可能範囲の右端にてスクロールを終了する。Ｓ１２０の処理後、この受信画像左目押下処理（Ｓ４８）を終了する。
【０２０３】
一方で、Ｓ１１９の処理の結果、スクロール可能範囲の右端に達している場合には（Ｓ１１９：Ｙｅｓ）、右方向へはそれ以上スクロールすることができないので、受信ＦＡＸ画像の状態を維持したまま、この受信画像左目押下処理（Ｓ４８）を終了する。
【０２０４】
また、Ｓ１１３の処理の結果、左目領域ＬＢに対して触れられた指が、左から右に操作されていないと判断される場合には（Ｓ１１３：Ｎｏ）、左目領域ＬＢに対して触れられた指が、右から左に操作されたか否かを、図３（ｃ）に示した判定条件に従って判断する（Ｓ１１４）。そして、左目領域ＬＢに対して触れられた指が、右から左に操作されたと判断される場合には（Ｓ１１４：Ｙｅｓ）、スクロール可能範囲の左端に達しているか否かを確認する（Ｓ１２１）。
【０２０５】
Ｓ１２１の処理の結果、スクロール可能範囲の左端に達していない場合には（Ｓ１２１：Ｎｏ）、受信ＦＡＸ画像を指の移動距離（変位量）に応じて左方向にスクロールする（Ｓ１２２）。なお、Ｓ１２２の処理によるスクロール中にスクロール可能範囲の左端に達した場合には、指の移動距離にかかわらず、スクロール可能範囲の左端にてスクロールを終了する。Ｓ１２２の処理後、この受信画像左目押下処理（Ｓ４８）を終了する。
【０２０６】
一方で、Ｓ１２１の処理の結果、スクロール可能範囲の左端に達している場合には（Ｓ１２１：Ｙｅｓ）、左方向へはそれ以上スクロールすることができないので、受信ＦＡＸ画像の状態を維持したまま、この受信画像左目押下処理（Ｓ４８）を終了する。
【０２０７】
また、Ｓ１１４の処理の結果、左目領域ＬＢに対して触れられた指が、右から左に操作されていないと判断される場合には（Ｓ１１４：Ｎｏ）、左目領域ＬＢ（画像調整領域）に対して触れられた指が規定方向に操作されていないと判断できるので、受信ＦＡＸ画像の状態を維持したまま、この受信画像左目押下処理（Ｓ４８）を終了する。
【０２０８】
以上、図９から図１１の受信ＦＡＸ画像調整処理によって、受信ＦＡＸ画像の表示状態を、ユーザ以外の顔画像を用いて適宜調整することができる。よって、ユーザは、ユーザ以外の顔画像を用いた直感的な操作により、受信ＦＡＸ画像の表示状態を自身が見易いとする状態に調整することができる。
【０２０９】
次いで、図１２及び図１３を参照して、ＭＦＰ１のＣＰＵ１１で実行される送信ＦＡＸ画像調整処理について説明する。図１２は、ＭＦＰ１において実行される送信ＦＡＸ画像調整処理を示すフローチャートである。
【０２１０】
この送信ＦＡＸ画像調整処理は、ＬＣＤ１６に画像調整画面を表示し、その画面に対する指の操作内容に応じて、送信ＦＡＸ画像に対する画像調整を行う処理である。この送信ＦＡＸ画像調整処理は、操作キー１５の操作によって、ユーザが送信ＦＡＸ画像をＬＣＤ１６に表示する場合に、開始される。
【０２１１】
送信ＦＡＸ画像調整処理では、まず、画像調整画面に送信ＦＡＸデータ画像をＬＣＤ１６の右画面１６Ｒにサムネイル表示すると共に、ユーザ本人の顔画像をＬＣＤ１６の左画面１６Ｌ表示する（Ｓ５１）。
【０２１２】
次いで、ユーザ本人に対して、電話帳メモリ１２ｃに格納された「右目」の「調整対象」、「領域の座標」、「操作方法」、「拡大縮小率」を読み出し、それぞれＲＡＭ１３に記憶する（Ｓ５２）。これにより、画像調整画面の顔画像に対して、「領域の座標」で定まる右目領域ＲＢに、「調整対象」の内容（即ち、画像の拡大又は縮小）に従う画像調整領域が割り当てられる。また、「操作方法」によって、その右目領域ＲＢによって画像調整を行う場合に指によって操作されるべき操作内容が決まり、「拡大縮小率」によって、右目領域ＲＢに対して触れた指の移動距離の単位長さあたりの拡大縮小率が定まる。
【０２１３】
また、ユーザ本人に対して、電話帳メモリ１２ｃに格納された「左目」の「調整対象」、「領域の座標」、「操作方法」、「コントラスト補正量」を読み出し、それぞれＲＡＭ１３に記憶する（Ｓ５３）。これにより、画像調整画面の顔画像に対して、「領域の座標」で定まる左目領域ＬＢに、「調整対象」の内容（即ち、画像のコントラスト補正）に従う画像調整領域が割り当てられる。また、「操作方法」によって、その左目領域ＬＢによって画像調整を行う場合に指によって操作されるべき操作内容が決まり、「コントラスト補正量」によって、左目領域ＬＢに対して触れた指の移動距離の単位長さあたりのコントラスト補正量が定まる。
【０２１４】
Ｓ５３の処理の後、タッチパネル１７が指で触れられたか否かを判断する（Ｓ５４）。そして、タッチパネル１７が指で触れられたと判断される場合には（Ｓ５４：Ｙｅｓ）、その指で触れられた領域がＳ５２の処理で割り当てられた右目領域ＲＢであるか否かを判断する（Ｓ５５）。
【０２１５】
その結果、右目領域ＲＢであると判断される場合には（Ｓ５５：Ｙｅｓ）、送信画像右目押下処理が実行され（Ｓ５６）、Ｓ５７の処理へ移行する。これにより、右目領域ＲＢに対して割り当てられた画像調整領域および操作方法に応じた、送信ＦＡＸ画像に対する画像調整（画像の拡大又は縮小）が行われる。なお、この送信画像右目押下処理（Ｓ５６）は、図１０の受信画像右目押下処理（Ｓ４６）における「受信ＦＡＸ画像」を「送信ＦＡＸ画像」に置き換えるだけの処理であるので、その図示及び説明は省略する。
【０２１６】
一方、Ｓ５５の処理の結果、Ｓ５４の処理において指で触れられた領域が右目領域ＲＢでないと判断される場合（Ｓ５５：Ｎｏ）には、Ｓ５６の処理をスキップし、Ｓ５７の処理へ移行する。
【０２１７】
Ｓ５７の処理では、Ｓ５４の処理において指で触れられた領域が、Ｓ５３の処理で割り当てられた左目領域ＬＢであるか否かを判断する（Ｓ５７）。その結果、左目領域ＬＢであると判断される場合には（Ｓ５７：Ｙｅｓ）、後述する送信画像左目押下処理（図１３参照）が実行され（Ｓ５８）、Ｓ５９の処理へ移行する。これにより、左目領域ＬＢに対して割り当てられた画像調整領域および操作方法に応じた、送信ＦＡＸ画像に対する画像調整（画像のコントラスト補正）が行われる。
【０２１８】
一方、Ｓ５７の処理の結果、Ｓ５４の処理において指で触れられた領域が左目領域ＬＢでないと判断される場合（Ｓ５７：Ｎｏ）には、指で触れられた領域が左目領域ＬＢではないので、Ｓ５８の処理をスキップし、Ｓ５９の処理へ移行する。
【０２１９】
また、Ｓ５４の処理の結果、タッチパネル１７が指で触れられていないと判断される場合もまた（Ｓ５４：Ｎｏ）、Ｓ５９の処理へ移行する。
【０２２０】
Ｓ５９の処理では、操作キー１５の一部である終了キーが押されたか否かを判断する（Ｓ５９）。そして、終了キーが押されていない場合には（Ｓ５９：Ｎｏ）、Ｓ５４の処理へ回帰し、Ｓ５４〜Ｓ５９の処理が再び実行される。
【０２２１】
一方、Ｓ５９の処理の結果、終了キーが押されたと判断される場合には（Ｓ５９：Ｙｅｓ）、画像サイズ及びコントラストを、ユーザ本人の顔画像における右目領域ＲＢ及び左目領域ＬＢを用いて調整された値に書き換えた送信ＦＡＸデータをＲＡＭ１３に記憶し（Ｓ６０）、この送信ＦＡＸ画像調整処理を終了する。
【０２２２】
なお、この送信ＦＡＸ画像調整処理を終了後、ユーザ操作によって、送信ＦＡＸデータの送信先の指定、及び、送信キー（操作キー１５の一部）の操作が行われると、Ｓ６０の処理によりＲＡＭ１３に記憶された送信ＦＡＸデータ、即ち、送信ＦＡＸ画像調整処理の結果として画像調整された送信ＦＡＸデータが、指定された送信先へ送信される。
【０２２３】
次いで、図１３を参照して、上述した送信画像左目押下処理（Ｓ５８）について説明する。図１３は、図１２の送信ＦＡＸ画像調整処理の中で実行される受信画像左目押下処理（Ｓ５８）を示すフローチャートである。
【０２２４】
この送信画像左目押下処理（Ｓ４８）では、まず、図１２のＳ５３の処理によってＲＡＭ１３に記憶された情報から、左目領域ＬＢに対する操作方法が、方法１であるか否かを判断する（Ｓ１３１）。この方法１は、画像調整領域（左目領域ＬＢ）に対して触れられた指が左右方向に操作された場合に、画像調整（画像のコントラスト補正）を行うものである。
【０２２５】
Ｓ１３１の処理の結果、操作方法が方法１であると判断される場合には（Ｓ１３１：Ｙｅｓ）、画像調整領域である左目領域ＬＢに対して触れられた指が、左から右に操作されたか否かを、図３（ｃ）に示した方法１の判定条件と同一の判定条件に従って判断する（Ｓ１３２）。そして、左目領域ＬＢに対して触れられた指が、左から右に操作されたと判断される場合には（Ｓ１３２：Ｙｅｓ）、送信ＦＡＸ画像のコントラストを指の移動距離（変位量）に応じて高くし（Ｓ１３３）、この送信画像左目押下処理（Ｓ５８）を終了する。
【０２２６】
一方、Ｓ１３２の処理の結果、左目領域ＬＢに対して触れられた指が、左から右に操作されていないと判断される場合には（Ｓ１３２：Ｎｏ）、左目領域ＬＢに対して触れられた指が、右から左に操作されたか否かを、図３（ｃ）に示した方法１の判定条件と同一の判定条件に従って判断する（Ｓ１３４）。そして、左目領域ＬＢに対して触れられた指が、右から左に操作されたと判断される場合には（Ｓ１３４：Ｙｅｓ）、送信ＦＡＸ画像のコントラストを指の移動距離（変位量）に応じて低くし（Ｓ１３５）、この送信画像左目押下処理（Ｓ５８）を終了する。
【０２２７】
一方、Ｓ１３４の処理の結果、左目領域ＬＢに対して触れられた指が、右から左に操作されていないと判断される場合（Ｓ１３４：Ｎｏ）、左目領域ＬＢ（画像調整領域）に対して触れられた指が左右方向に操作されていないと判断できるので、送信ＦＡＸ画像の状態を維持したまま、この送信画像左目押下処理（Ｓ５８）を終了する。
【０２２８】
これに対し、Ｓ１３１の処理の結果、操作方法が方法１でないと判断される場合には（Ｓ１３１：Ｎｏ）、操作方法が方法２であると判断できる。この方法２は、画像調整領域である左目領域ＬＢに対して触れられた指が上下方向に操作された場合に、画像調整（画像のコントラスト補正）を行うものである。
【０２２９】
そこで、左目領域ＬＢに対して触れられた指が、下から上に操作されたか否かを、図３（ｃ）に示した判定条件と同一の判定条件に従って判断する（Ｓ１３６）。そして、左目領域ＬＢに対して触れられた指が、下から上に操作されたと判断される場合には（Ｓ１３６：Ｙｅｓ）、送信ＦＡＸ画像のコントラストを指の移動距離（変位量）に応じて高くし（Ｓ１３７）、この送信画像左目押下処理（Ｓ５８）を終了する。
【０２３０】
一方、Ｓ１３６の処理の結果、左目領域ＬＢに対して触れられた指が、下から上に操作されていないと判断される場合には（Ｓ１３６：Ｎｏ）、左目領域ＬＢに対して触れられた指が、上から下に操作されたか否かを、図３（ｃ）に示した判定条件と同一の判定条件に従って判断する（Ｓ１３８）。そして、左目領域ＬＢに対して触れられた指が、上から下に操作されたと判断される場合（Ｓ１３８：Ｙｅｓ）、送信ＦＡＸ画像のコントラストを指の移動距離（変位量）に応じて低くし（Ｓ１３９）、この送信画像左目押下処理（Ｓ５８）を終了する。
【０２３１】
一方、Ｓ１３８の処理の結果、左目領域ＬＢに対して触れられた指が、上から下に操作されていないと判断される場合（Ｓ１３８：Ｎｏ）、左目領域ＬＢ（画像調整領域）に対して触れられた指が上下方向に操作されていないと判断できるので、送信ＦＡＸ画像の状態を維持したまま、この送信画像左目押下処理（Ｓ５８）を終了する。
【０２３２】
以上、図１２及び図１３の送信ＦＡＸ画像調整処理によって、送信ＦＡＸ画像の表示状態を、ユーザ本人の顔画像を用いて適宜調整することができる。よって、ユーザは、ユーザ本人の顔画像を用いた直感的な操作により、送信ＦＡＸ画像の表示状態を自身が見易いとする状態に調整することができる。
【０２３３】
また、送信ＦＡＸデータを実際に送信する前に、ユーザ本人の顔画像を用いて画像調整された送信ＦＡＸデータを送信することができるので、良好な状態の画像データ（送信ＦＡＸデータ）を送信先の相手へ送信することができる。
【０２３４】
以上、本実施形態によれば、受信ＦＡＸデータの送信元となり得るユーザ以外の顔画像に対し、受信ＦＡＸ画像の表示状態を調整する領域を割り当てることができ、送信ＦＡＸデータの送信元となるユーザ本人の顔画像に対し、送信ＦＡＸ画像の表示状態を調整する領域を割り当てることができる。即ち、調整対象とする画像（受信ＦＡＸ画像又は送信ＦＡＸ画像）の表示状態を調整するための領域を、指示対象とする顔画像がユーザ本人のものであるか、ユーザ以外のものであるかに応じて割り当てることができる。よって、その内容に応じて領域を割り当てた顔画像を利用して、調整対象とする画像に対する画像調整を行うことができるので、ユーザは、直感的な画像調整行うことができる。
【０２３５】
さらに、本実施形態によれば、画像調整画面に表示された顔画像内における画像調整を行うために割り当てられた領域（本実施形態では、右目領域ＲＢ及び左目領域ＬＢ）に対して、タッチパネル１７に触れられた指の移動（変位）に合わせて、調整対象とする画像（受信ＦＡＸ画像又は送信ＦＡＸ画像）に対する画像調整を行うことができる。このように、画像調整を行うために割り当てられた領域に対し、外部から指定された位置の変位に合わせて、調整対象とする画像に対する画像調整を行うことができるので、ユーザは、画像調整を行う際に、所望の調整量（パラメータの増加量又は減少量）を直感的に指示することができる。
【０２３６】
また、本実施形態によれば、受信ＦＡＸ画像又は送信ＦＡＸ画像に対する画像調整を行うための領域として、顔画像における「目（より具体的には、右目及び左目）」を割り当てている。ここで、「目」は視覚的なものを連想させる部位であるので、顔画像における「目」から、「調整対象とする画像（受信ＦＡＸ画像又は送信ＦＡＸ画像）に対する画像調整」を、ユーザに連想させることは容易である。従って、ユーザは、表示された顔画像を用いて、直感的に、外部装置２００とやり取りする画像データの内容を示す画像（即ち、受信ＦＡＸ画像又は送信ＦＡＸ画像）に対する画像調整（即ち、画像の表示状態の調整）を行うことができる。
【０２３７】
さらに、本実施形態によれば、顔画像における「右目」及び「左目」に対し、それぞれ、異なる種類の画像調整（例えば、画像の拡大又は縮小、及び、画像のスクロール）を行うための領域を割り当てている。このように、互いに関連する部位を含む領域を、画像調整を行うための領域とし、それぞれに対して異なる画像調整を行うことができるので、ユーザは、２種類の画像調整を行うことのできる領域を直感的に把握できる。
【０２３８】
次いで、図１４を参照して、第２実施形態について説明する。上記第１実施形態では、ＭＦＰ１のＬＣＤ１６に表示された画像調整画面を用いて、ＭＦＰ１が電話回線網１００を介して外部装置２００から受信した受信ＦＡＸデータに対する受信ＦＡＸ画像、又は、外部装置２００へ送信する送信ＦＡＸデータに対する送信ＦＡＸ画像に対する調整を行う場合について説明した。
【０２３９】
これに対し、第２実施形態では、ＭＦＰ３００に接続されたＰＣ４００のＬＣＤ４１６に画像調整画面を表示し、かかる画像調整画面を用いて、ＭＦＰ３００が電話回線網１００を介して外部装置２００から受信した受信ＦＡＸデータに対する受信ＦＡＸ画像、又は、外部装置２００へ送信する送信ＦＡＸデータに対する送信ＦＡＸ画像に対する画像調整を行うことができるように構成されている。なお、第１実施形態と同一の部分には同一の符号を付して、その説明を省略する。
【０２４０】
図１４は、第２実施形態における画像調整システムＴの電気的構成を示したブロック図である。この画像調整システムＴは、ＭＦＰ３００とＰＣ４００とによって構成されている。なお、この第２実施形態におけるＭＦＰ３００において、第１実施形態におけるＭＦＰ１と相違する点は、ＭＦＰ３００にＰＣ４００を通信可能に接続するためのインターフェイス３３１が設けられている点である。
【０２４１】
一方、ＰＣ４００は、ＣＰＵ４１１、ＲＯＭ（Ｒｅａｄ  Ｏｎｌｙ  Ｍｅｍｏｒｙ）４１２、ＲＡＭ４１３、ハードディスク４１４、計時回路４１５、インターフェイス４２０を主に有しており、ＣＰＵ４１１、ＲＯＭ４１２、ＲＡＭ４１３は、バスライン４２１を介して互いに接続されている。また、ハードディスク４１４、計時回路４１５、インテーフェイス４２０、バスライン４２１は、入出力ポート４２２を介して互いに接続されている。更に、入出力ポート４２２には、ＬＣＤ４１６、タッチペン４１７が接続され、これらとＰＣ４００の各部との間でデータの送受信が行われる。
【０２４２】
ＣＰＵ４１１は、ＲＯＭ４１２やハードディスク４１４に記憶されているプログラム、あるいは入出力ポートに接続された各部からの制御信号に従って、ＰＣ４００の動作を制御する演算装置である。
【０２４３】
ＲＯＭ４１２は、書換え不可能な不揮発性のメモリであり、ＣＰＵ４１１により実行される各種の制御プログラムや、その他、固定値データが記憶されている。ＲＡＭ４１３は、書換え可能な揮発性のメモリであり、ＰＣ４００の各操作の実行時に各種のデータを一時的に記憶するためのメモリである。
【０２４４】
ハードディスク４１４は、書換え可能な不揮発性のメモリであり、ＣＰＵ４１１によって実行される制御プログラム４１４ａ、画像メモリ４１４ｂ、電話帳メモリ４１４ｃを有する。制御プログラム４１４ａは、第１実施形態においてＭＦＰ１により実行された図９から図１３に相当する処理を実行するプログラムである。更に、画像メモリ４１４ｂおよび電話帳メモリ４１４ｃは、それぞれ上記各実施形態のＭＦＰ１のＥＥＰＲＯＭ１２に格納された画像メモリ１２ｂおよび電話帳メモリ１２ｃと同一のものである。
【０２４５】
よって、ＣＰＵ４１１が図９及び図１０に図示されたフローチャートのプログラムを実行することにより、画像調整画面に表示される画像や、その画面における画像調整領域の登録を行うことができる。また、ＣＰＵ４１１が、図１１〜図１３に図示されたフローチャートのプログラムを実行することにより、ＭＦＰ３００が電話回線網１００を介して外部装置２００から受信した受信ＦＡＸデータに対する受信ＦＡＸ画像、又は、外部装置２００へ送信する送信ＦＡＸデータに対する送信ＦＡＸ画像に対する画像調整を、ユーザの直感的に行うことができる。
【０２４６】
計時回路４１５は、現在の日時を刻む時計機能を有する既知の回路である。また、インターフェイス４２０は、ＰＣ４００にＭＦＰ３００を接続し、ＭＦＰ３００との間で各種データの送受信を行うものである。
【０２４７】
ＬＣＤ４１６は、ＬＣＤパネル（図示せず）を備え、そのＬＣＤパネルに、タッチペン４１７の操作に応じてメニューや動作状態などを表示するための表示デバイスである。第１実施形態においてＬＣＤ１６に表示された画像調整画面は、このＬＣＤ４１６によって表示される。
【０２４８】
タッチペン４１７は、ＬＣＤ４１６のＬＣＤパネルに触れると、そのＬＣＤパネル上の座標を検出してＰＣ４００に伝達する入力装置である。ＣＰＵ４１１は、タッチパネル４１７によって検出された座標によって、例えば、ＬＣＤ４１６に表示された画像調整画面の画像調整領域（右目領域ＲＢ、左目領域ＬＢ）に対して行われた操作内容を判断する。そして、画像調整領域に対し、その領域の操作方法に対応する操作が行われた場合に、受信ＦＡＸ画像又は送信ＦＡＸ画像の画像調整を行う。
【０２４９】
以上、第２実施形態によれば、第１実施形態と同様に、所定の画像の内容に従って、所定の領域に画像調整を行う領域を割り当て、その領域を指定することによって画像調整を行うことができるので、ユーザはその画面を用いて直観的に受信ＦＡＸ画像又は送信ＦＡＸ画像に対する画像調整を行うことができる。
【０２５０】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０２５１】
例えば、上記各実施形態では、画像調整を行うための領域を設定するための画像（指示対象とする画像）として、顔画像を用いたが、顔画像以外の写真画像や、絵画やキャラクタのグラフィックスなど種々の画像を利用する構成としてもよい。
【０２５２】
また、上記各実施形態では、「目（より具体的には、右目及び左目）」を、画像調整を行うための領域として割り当てる構成としたが、他の部位を、画像調整を行うための領域として割り当てる構成としてもよい。種々の部分に対して画像調整を行うための領域を割り当て可能とすることにより、ユーザは、自分の好みに応じて画像調整を行うための領域を設定することが可能となる。
【０２５３】
なお、この場合、指示対象とする画像内に含まれている一対又は一群をなす各部分（例えば、右目と左目、右手と左手、又は、両手の各指など）を、画像調整を行うための領域として割り当てることが好ましい。このように、一対又は一群をなす各部分を、画像調整を行うための領域として割り当てることにより、それらの互いに関連する各部分に対し、それぞれ異なる種類の画像調整を割り当てることができるので、複数種類の画像調整に対し、画像中のどの領域を指示すればいいかを直感的に把握させることが可能となり、操作の複雑化を抑制できる。
【０２５４】
また、上記各実施形態では、登録画面に表示された顔画像に対し、画像調整を行うための領域と、該領域に対する操作内容（操作方法、及び、触れた指の移動距離の単位長さあたりの変更量）とを設定する構成としたが、画像調整を行うための領域のみを設定し、設定された領域に対する操作内容は予め決められた内容とされる構成としてもよい。
【０２５５】
また、上記各実施形態では、右目領域ＲＢと左目領域ＬＢとに対し、それぞれ、予め決められた調整対象が設定される構成とした。例えば、ユーザ以外の顔画像の場合には、右目領域ＲＢに対して設定される調整対象は「画像の拡大縮小」であり、左目領域ＬＢに対して設定される調整対象は「画像のスクロール」であった。これに対し、右目領域ＲＢ又は左目領域ＬＢに対し、必要に応じた調整対象が設定できる構成としてもよい。
【０２５６】
例えば、調整対象の変更可能な画面を用意し、調整対象の変更を所望する領域（上記実施形態であれば、右目領域ＲＢ又は左目領域ＬＢ）をユーザに選択させると共に、その流域に対して設定することを所望する調整対象を指示することによって、画像調整を行うための領域に対して設定される調整対象を変更する。このように、調整対象を必要に応じて変更できる構成とすることにより、画像調整を行うための領域を用いて、ユーザの必要性に応じた画像調整を行うことができるので、画像調整に対するユーザにとっての有用性が向上する。
【０２５７】
なお、受信ＦＡＸ画像に対する画像調整の調整対象としては、上記各実施形態において例示した「画像の拡大縮小」及び「画像のスクロール」以外に、「画像のコントラスト補正」や、「画像のページ指定」や、「画像の明るさ補正」などが例示される。同様に、送信ＦＡＸ画像に対する画像調整の調整対象としては、上記各実施形態において例示した「画像の拡大縮小」及び「画像のコントラスト補正」以外に、「画像の彩度補正」や、「画像の明るさ補正」などが例示される。
【０２５８】
また、上記第１実施形態では、タッチパネル１７を指で触れることによって、画像調整領域を操作する場合について説明したが、必ずしもこれに限られるものではなく、指示物を用いてタッチパネル１７を触れることによって、各領域を操作してもよいし、タッチパネルに指示物などを近づけることで操作を行うようにしてもよい。
【図面の簡単な説明】
【０２５９】
【図１】本発明の第１実施形態におけるＭＦＰの外観構成を示す斜視図である。
【図２】ＭＦＰ１の電気的構成を示すブロック図である。
【図３】（ａ）は、画像調整画面の一例を示すイメージ図であり、（ｂ）は、右目領域に対する指の操作方法を説明する説明図であり、（ｃ）は、左目領域に対する指の操作方法を説明する説明図である。
【図４】電話帳メモリの内容の一例を模式的に示す模式図である。
【図５】登録画面の一例を示すイメージ図である。
【図６】登録画面の一例を示すイメージ図である。
【図７】登録処理を示すフローチャートである。
【図８】登録処理を示すフローチャートである。
【図９】受信ＦＡＸ画像調整処理を示すフローチャートである。
【図１０】図９の受信ＦＡＸ画像調整処理の中で実行される受信画像右目押下処理を示すフローチャートである。
【図１１】図９の受信ＦＡＸ画像調整処理の中で実行される受信画像左目押下処理を示すフローチャートである。
【図１２】送信ＦＡＸ画像調整処理を示すフローチャートである。
【図１３】図１２の送信ＦＡＸ画像調整処理の中で実行される送信画像左目押下処理を示すフローチャートである。
【図１４】第２実施形態における画像調整システムの電気的構成を示すブロック図である。
【符号の説明】
【０２６０】
１                    ＭＦＰ１（通信装置の一例）
１２ａ，４１４ａ      制御プログラム
１２ｃ，４１４ｃ      電話帳メモリ
１６，４１６          ＬＣＤ（表示手段の一例）
１７，４１７          タッチパネル（指定位置検出手段の一例）
２３                  ＮＣＵ（通信手段の一例）
２００                外部装置
Ｔ                    音量調整システム
Ｓ４１，Ｓ５１        （表示制御手段の一例）
Ｓ４２，Ｓ４３        （領域割当手段の一例）
Ｓ５２，Ｓ５３        （領域割当手段の一例）
Ｓ１０３，Ｓ１０５    （画像調整手段の一例）
Ｓ１０７，Ｓ１０９    （画像調整手段の一例）
Ｓ１０２，Ｓ１０４    （変位検出手段の一例）
Ｓ１０６，Ｓ１０８    （変位検出手段の一例）
Ｓ１１６，Ｓ１１８    （画像調整手段の一例）
Ｓ１２０，Ｓ１２２    （画像調整手段の一例）
Ｓ１１１，Ｓ１１２    （変位検出手段の一例）
Ｓ１１３，Ｓ１１４    （変位検出手段の一例）
Ｓ１３３，Ｓ１３５    （画像調整手段の一例）
Ｓ１３７，Ｓ１３９    （画像調整手段の一例）
Ｓ１３２，Ｓ１３４    （変位検出手段の一例）
Ｓ１３６，Ｓ１３８    （変位検出手段の一例）
【図１】
0004582165.tif 000002
【図２】
0004582165.tif 000003
【図３】
0004582165.tif 000004
【図４】
0004582165.tif 000005
【図５】
0004582165.tif 000006
【図６】
0004582165.tif 000007
【図７】
0004582165.tif 000008
【図８】
0004582165.tif 000009
【図９】
0004582165.tif 000010
【図１０】
0004582165.tif 000011
【図１１】
0004582165.tif 000012
【図１２】
0004582165.tif 000013
【図１３】
0004582165.tif 000014
【図１４】
0004582165.tif 000015